(57)【要約】 【課題】蓄熱槽内の蓄熱体に効率よく蓄熱させることができ、又、該蓄熱体が放出する熱が付与されてなる温風や冷風を蓄熱槽から所望方向に向けて効果的に放出させ得る蓄熱装置を提供する。【解決手段】囲壁部２の上部と下部が閉じた蓄熱槽３の内部に蓄熱体６が納設されている。蓄熱槽３の前部に、エアコン室内機９の吹出口が連設され、蓄熱槽３は、その内部の空気を放出させる複数の空気放出口１１を有する。蓄熱槽３の内部の後部に、蓄熱槽内に吹き出されて後方に移動した空気を反射させて方向転換させる空気反射部１３を有する。蓄熱体６の内部には、蓄熱槽３内に吹き出された空気を流すための空気流路１５が設けられている。【選択図】図１７
2014228207.tif 000002
【特許請求の範囲】
【請求項１】
囲壁部の上部と下部が閉じた箱状を呈する蓄熱槽の内部に蓄熱体が納設状態とされると共に該蓄熱槽の前部にエアコン室内機の吹出口が連設され、該蓄熱槽には、該蓄熱槽内の空気を放出させるための複数の空気放出口が設けられてなり、
前記蓄熱槽の内部の後部には、前記吹出口から前記蓄熱槽内に吹き出されて後方に移動した空気を反射させて方向転換させるための空気反射部が設けられており、
又、前記蓄熱体の内部には、前記蓄熱槽内に吹き出された空気を流すための空気流路が設けられていることを特徴とする蓄熱装置。
【請求項２】
前記蓄熱体は、水平板状を呈する蓄熱板部が、水平状態に拡がる横方向空気流路を相互間に形成するように所要間隔を置いて積層されて構成されており、前記吹出口から前記蓄熱槽内に吹き出された空気が、前記の各横方向空気流路に流入でき、該流入した空気が、前記空気反射部に当たって方向変換される如くなされていることを特徴とする請求項１記載の蓄熱装置。
【請求項３】
上下方向に複数段に設けられている前記横方向空気流路を連通させるように、上下方向に延長する縦方向空気流路が設けられていることを特徴とする請求項２記載の蓄熱装置。
【請求項４】
前記吹出口からの空気の吹き出しが、前記後部の、左右方向で見た一方の端部側に設けられている前記空気反射部に向けて行われ、これにより、前記蓄熱槽内の空気が前記横方向空気流路で、平面視で循環状態となるようになされていることを特徴とする請求項２記載の蓄熱装置。
【請求項５】
前記吹出口から前記横方向空気流路に吹き出された空気を、該横方向空気流路で、平面視で循環状態となるように方向付けするための方向規制ガイド面が前記空気反射部に設けられていることを特徴とする請求項４記載の蓄熱装置。
【請求項６】
四つのコーナ部分が隅切りされ且つ該コーナ部分の側面が、平面視で円弧状又は直線状を呈する隅切り面として形成されてなる矩形板状の蓄熱板が、水平面内で、前後方向及び左右方向に相互が当接されて並設されることによって、水平板状を呈する蓄熱板部が形成されており、該蓄熱板部が、相互間に、水平状態に拡がる横方向空気流路を形成するように所要間隔を置いて積層されることによって前記蓄熱体が構成されており、該蓄熱板部を構成する４枚の蓄熱板の四つのコーナ部分が集合する部位には蓄熱板支持部材が介在されてなり、
前記蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とする請求項１記載の蓄熱装置。
【請求項７】
前記柱状片の高さが前記蓄熱板の上下方向の厚さよりも小さく設定されることによって、前記四つのコーナ部分の集合する部位に、前記柱状片の上端の上方に固定凹部が形成される如くなされており、又、前記台座片の下面部には、該固定凹部に嵌入し得る固定突部が突設され、該固定突部の突出長さが該固定凹部の深さに等しいか或いはそれよりも小さく設定されており、且つ該固定突部の側面が、前記四つのコーナ部分の前記隅切り面に当接する如くなされていることを特徴とする請求項６記載の蓄熱装置。
【請求項８】
前記台座片が円板状を呈すると共に前記柱状片が円柱状を呈することを特徴とする請求項６又は７記載の蓄熱装置。
【請求項９】
前記台座片が、平面視で正方形状の正方形板状を呈すると共に、前記柱状片が、平面視で正方形状の正方形柱状を呈し、該台座片と該柱状片の、平面視での正方形状の向きが合致していることを特徴とする請求項６又は７記載の蓄熱装置。
【請求項１０】
水平板状を呈する蓄熱板部が、相互間に、水平状態に拡がる横方向空気流路を形成するように所要間隔を置いて積層されてなる前記蓄熱体は、積層蓄熱体を並設して構成されており、該積層蓄熱体は、蓄熱板の複数枚を所要間隔を置いて積層し且つ全体が積層方向で一体化されてなり、該積層蓄熱体を構成する上下の蓄熱板の間には間隔保持片が介在され、該上下の蓄熱板間に、前記横方向空気流路の間隙幅に等しい上下幅を有する通気間隙が形成されていることを特徴とする請求項２記載の蓄熱装置。
【請求項１１】
前記蓄熱板の表裏の中央部分が対向状態に窪んでおり、前記間隔保持片の上下端部分が該窪み部に嵌め入れられて、前記上下の蓄熱板間に前記通気間隙が形成されていることを特徴とする請求項１０記載の蓄熱装置。
【請求項１２】
前記蓄熱体には、前記空気放出口に面する部分に混合空間が設けられており、該混合空間は前記蓄熱板部の積層部分が、その上端から前記空気放出口の下端に至る部分で取り除かれた状態とされることによって構成されていることを特徴とする請求項２〜９の何れかに記載の蓄熱装置。
【請求項１３】
請求項１〜１２の何れかに記載の蓄熱装置を構成する前記蓄熱槽が、建物の床下空間に配設されており、前記蓄熱槽は、該床下空間に架設されている大引を横切るように配設され、且つ、該大引を支持する束を収容状態に逃がすための逃がし空間を形成する逃がし筒部が設けられていることを特徴とする建物床下の蓄熱装置。
【請求項１４】
請求項１〜１２の何れかに記載の蓄熱装置を構成する前記蓄熱槽が、建物の床下空間に配設されており、前記蓄熱槽は、該床下空間に架設されている大引を横切るように配設され、且つ、該大引を支持する束を収容状態に逃がすための逃がし空間を形成する逃がし筒部が設けられており、前記吹出口から前記蓄熱槽内に吹き出された空気が、該逃がし筒部と前記囲壁部との間に形成されている移動流路を移動することを特徴とする建物床下の蓄熱装置。
【請求項１５】
請求項１〜１２の何れかに記載の蓄熱装置を構成する前記蓄熱槽が、建物の床下空間に配設されており、前記蓄熱槽は、その下端が前記床下空間の底部から浮き上がった状態で該床下空間で吊下状態に配設されており、前記囲壁部の上部が床部で閉じられた状態にあることを特徴とする建物床下の蓄熱装置。
【請求項１６】
請求項１〜１２の何れかに記載の蓄熱装置を構成する前記蓄熱槽が、建物の床下空間に配設されており、前記蓄熱槽は、その下端が前記床下空間の底部から浮き上がった状態で該床下空間で吊下状態に配設されており、該吊下は、前記囲壁部の上端側が、該床下空間の上部に配設された横架材に固定されて行われており、前記囲壁部の上部が床部で閉じられた状態にあることを特徴とする建物床下の蓄熱装置。
【請求項１７】
請求項１〜１２の何れかに記載の蓄熱装置を構成する前記蓄熱槽が、建物の床下空間に配設されており、前記空気放出口から放出された空気を含む床下空間の空気を、建物の内部空間を通して上昇させて、該建物の天井裏空間に流入させる如くなされており、
該天井裏空間の空気の一部が、屋外に設置されたエアコン室外機の吸込口に吸い込まれると共に、該吸込口に吸い込まれた空気量に見合う量の外気が前記建物内に導入される一方、前記天井裏空間の残余の空気が前記エアコン室内機の吸込口に吸い込まれる如くなされていることを特徴とする建物の空調設備。
【請求項１８】
請求項１〜１２の何れかに記載の蓄熱装置を構成する前記蓄熱槽が、建物の床下空間に配設されており、前記空気放出口から放出された空気を含む床下空間の空気を、建物の内部空間を通して上昇させて、該建物の最上部の天井裏空間に流入させる如くなされており、
該天井裏空間の空気の一部が、前記建物の外部に設置されたエアコン室外機の吸込口に吸い込まれると共に、該吸込口に吸い込まれた空気量に見合う量の外気が前記建物内に導入される一方、前記天井裏空間の残余の空気が前記エアコン室内機の吸込口に吸い込まれる如くなされていることを特徴とする建物の空調設備。
【請求項１９】
前記蓄熱槽の前記空気放出口から放出された空気を、前記建物の屋内の壁体を支持する土台に設けた欠切状部を通して該壁体の内部に設けた壁内通気路に流入させ、該壁体の上端側で、一階の天井裏空間に流入させる如くなされ、この流入された空気を、最終的に、前記最上部に位置する天井裏空間に流入させる如くなされていることを特徴とする請求項１８記載の建物の空調設備。
【請求項２０】
前記複数の空気放出口の内の少なくとも一つは、前記床下空間において、布基礎の途切れた部分に向けて空気を放出させる如くなされており、或いは、該布基礎に設けた通気開口に向けて空気を放出させる如くなされていることを特徴とする請求項１７、１８又は１９記載の建物の空調設備。
【発明の詳細な説明】
【技術分野】
【０００１】
本発明は、建物の床下空間等に配設されて蓄熱と放熱を行う蓄熱装置に関するものであり、又、建物の床下空間に好適に配設できる建物床下の蓄熱装置に関するものであり、又、これらの蓄熱装置を用いる建物の空調設備に関するものである。
【背景技術】
【０００２】
建物の床下空間に蓄熱装置を配設して構成された床下暖房システムの一例として特許文献１が開示するものが提案されている。
【０００３】
該床下暖房システムａは図６８（Ａ）に示すように、筐体ｂ内に潜熱蓄熱体からなる薄板状の蓄熱プレートｃが多数枚収容されてなり、該筐体ｂは、その入口側ｄの一部が開口し且つ出口側ｅが全面的に開口した横断面矩形状の筒形を呈していた。そして前記蓄熱プレートｃは、図６８（Ｂ）に示すように、同一平面上に複数枚が並列配置されると共に、その並列配置体ｆが通気路ｇとなる間隔を置いて複数に積層されていた。そして、該蓄熱プレートｃの並列・複層配置を可能とするために、ラックが該筐体ｂ内に組付けられていた。又、前記筐体ｂの前記入口側ｄには、二種類のダクトｊ，ｋが個別に接続されており、ヒートポンプエアコンからの温風がその何れか一方のダクトｊを介して入口ｈ１に導入されると共に、送風ファンからの風が他方のダクトｋを介して入口ｈ２に導入されるようになされていた。
【０００４】
そして、ヒートポンプエアコンからの温風が入口側空間ｎから前記筐体ｂ内に導入されると、該温風が、前記通気路ｇを通る際に該温風が持つ熱が各蓄熱プレートｃに与えられ、該蓄熱プレートｃは蓄熱した。又、前記蓄熱プレートｃが蓄熱された状態で、前記送風ファンから常温の空気が入口側空間ｎを通して筐体ｂ内に導入されると、この風が前記通気路ｇを通る際に、前記蓄熱プレートｃが放熱する熱が与えられ、これにより、導入時には常温であった風が温風となって筐体ｂの出口ｐから床下空間ｑに放出されるようになされていた。
【０００５】
しかしながら該従来の床下暖房システムによるときは、前記通気路ｇが前記筐体の入口ｈ１，ｈ２から出口ｐに向けて直線状に延長するものであり、前記入口ｈ１，ｈ２から前記筐体ｂ内に導入された風は、直線状を呈する前記通気路ｇの夫々を通して、その全てが、前記筐体ｂの出口ｐから前記床下空間ｑに放出された。
【０００６】
従来の床下暖房システムは、このように、入口ｈ１，ｈ２から導入された温風がそのまま出口ｐから放出されたため、該温風の保有熱を各蓄熱プレートｃに効果的に与えにくく、該蓄熱プレートへの熱伝達の効率が悪い問題があった。
【０００７】
又、該床下暖房システムによるときは、部屋のサイズや部屋の配置状態に合わせて設定される床下空間の所望の区画空間部に向けて温風を効果的に放出させることが難しい問題があった。この点について、図６９に基づいてより詳しく説明する。
【０００８】
床下空間ｑは、各部屋のサイズや部屋の配置状態に合わせて区画されているため、布基礎ｒが、所要に屈曲した状態や枝分かれした状態で設けられている。そのため、前記筐体ｂからの温風の吹き出しを、かかる布基礎ｒの配置状態に合わせて、必要とされる区画空間部に向けて吹き出させるのが好ましい。そこで、前記筐体ｂの側面部にも放出口を設け、該放出口から所望場所に向けて温風を放出させることとすれば、より効果的に床暖房できる場合がある。
【０００９】
今、例えば図６９に示すように、前記筐体ｂの側面部ｓにも放出口ｔを設けたとする。このように放出口ｔを設けた場合は、一見、該放出口ｔからも温風を放出させ得るように見える。しかしながら図６８に示すように、前記筐体ｂは、その出口側ｅが全面的に開口した筒状を呈していたため、該入口ｈ１，ｈ２から導入された空気が、多段の通気路ｇを通してそのまま該出口ｐから放出されてしまうので前記筐体ｂの内部は正圧状態にはなかった。それ故、前記放出口ｔからの温風放出は期待できず、逆に、前記入口ｈ１，ｈ２から出口ｐに向けての気流によって、床下空間ｑの空気が前記放出口ｔを通して筐体ｂ内に吸い込まれてしまう現象が生ずることとなる。
【００１０】
このように従来の床下暖房システムによるときは、部屋のサイズや部屋の配置状態に合わせて設定されている床下空間の所望の区画空間部に向けて効果的に温風の放出を行わせることができない問題があったのである。
【先行技術文献】
【特許文献】
【００１１】
【特許文献１】特開２００９−５２７６５号公報
【発明の概要】
【発明が解決しようとする課題】
【００１２】
本発明は、主として前記従来の問題点に鑑みて開発されたものであり、蓄熱槽の内部に納設状態とされている蓄熱体に効率的に蓄熱させ得ることに加え、該蓄熱体が放熱する熱が付与されてなる温風又は冷風を該蓄熱槽から所望方向に向けて効果的に放出させ得る蓄熱装置の提供を課題とするものである。又、建物の床下空間に好適に配設できる建物床下の蓄熱装置の提供を課題とするものである。更に、これらの蓄熱装置を用いて建物の空調を効果的に行うことのできる建物の空調設備の提供を課題とするものである。
【課題を解決するための手段】
【００１３】
前記課題を解決するため、本発明は以下の手段を採用する。
即ち本発明に係る蓄熱装置の第１の態様は、囲壁部の上部と下部が閉じた箱状を呈する蓄熱槽の内部に蓄熱体が納設状態とされると共に該蓄熱槽の前部にエアコン室内機の吹出口が連設され、該蓄熱槽には、該蓄熱槽内の空気を放出させるための複数の空気放出口が設けられてなり、前記蓄熱槽の内部の後部には、前記吹出口から前記蓄熱槽内に吹き出されて後方に移動した空気を反射させて方向転換させるための空気反射部が設けられており、又、前記蓄熱体の内部には、前記蓄熱槽内に吹き出された空気を流すための空気流路が設けられていることを特徴とするものである。
【００１４】
本発明に係る蓄熱装置の第２の態様は次の構成を有する。即ち、前記第１の態様において、前記蓄熱体は、水平板状を呈する蓄熱板部が、水平状態に拡がる横方向空気流路を相互間に形成するように所要間隔を置いて積層されて構成されており、前記吹出口から前記蓄熱槽内に吹き出された空気が、前記の各横方向空気流路に流入でき、該流入した空気が、前記空気反射部に当たって方向変換される如くなされていることを特徴とするものである。
【００１５】
本発明に係る蓄熱装置の第３の態様は次の構成を有する。即ち、前記第２の態様において、上下方向に複数段に設けられている前記横方向空気流路を連通させるように、上下方向に延長する縦方向空気流路が設けられていることを特徴とするものである。
【００１６】
本発明に係る蓄熱装置の第４の態様は次の構成を有する。即ち、前記第２の態様において、前記吹出口からの空気の吹き出しが、前記後部の、左右方向で見た一方の端部側に設けられている前記空気反射部に向けて行われ、これにより、前記蓄熱槽内の空気が前記横方向空気流路で、平面視で循環状態となるようになされていることを特徴とするものである。
【００１７】
本発明に係る蓄熱装置の第５の態様は次の構成を有する。即ち、前記第４の態様において、前記吹出口から前記横方向空気流路に吹き出された空気を、該横方向空気流路で、平面視で循環状態となるように方向付けするための方向規制ガイド面が前記空気反射部に設けられていることを特徴とするものである。
【００１８】
本発明に係る蓄熱装置の第６の態様は次の構成を有する。即ち、前記第１の態様において、四つのコーナ部分が隅切りされ且つ該コーナ部分の側面が、平面視で円弧状又は直線状を呈する隅切り面として形成されてなる矩形板状の蓄熱板が、水平面内で、前後方向及び左右方向に相互が当接されて並設されることによって、水平板状を呈する蓄熱板部が形成されており、該蓄熱板部が、相互間に、水平状態に拡がる横方向空気流路を形成するように所要間隔を置いて積層されることによって前記蓄熱体が構成されており、該蓄熱板部を構成する４枚の蓄熱板の四つのコーナ部分が集合する部位には蓄熱板支持部材が介在されてなる。又、前記蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とするものである。
【００１９】
本発明に係る蓄熱装置の第７の態様は次の構成を有する。即ち、前記第６の態様において、前記柱状片の高さが前記蓄熱板の上下方向の厚さよりも小さく設定されることによって、前記四つのコーナ部分の集合する部位に、前記柱状片の上端の上方に固定凹部が形成される如くなされており、又、前記台座片の下面部には、該固定凹部に嵌入し得る固定突部が突設され、該固定突部の突出長さが該固定凹部の深さに等しいか或いはそれよりも小さく設定されており、且つ該固定突部の側面が、前記四つのコーナ部分の前記隅切り面に当接する如くなされていることを特徴とするものである。
【００２０】
本発明に係る蓄熱装置の第８の態様は次の構成を有する。即ち、前記第６又は第７の態様において、前記台座片が円板状を呈すると共に前記柱状片が円柱状を呈することを特徴とするものである。
【００２１】
本発明に係る蓄熱装置の第９の態様は次の構成を有する。即ち、前記第６又は第７の態様において、前記台座片が、平面視で正方形状の正方形板状を呈すると共に、前記柱状片が、平面視で正方形状の正方形柱状を呈し、該台座片と該柱状片の、平面視での正方形状の向きが合致していることを特徴とするものである。
【００２２】
本発明に係る蓄熱装置の第１０の態様は次の構成を有する。即ち、前記第２の態様において、水平板状を呈する蓄熱板部が、相互間に、水平状態に拡がる横方向空気流路を形成するように所要間隔を置いて積層されてなる前記蓄熱体は、積層蓄熱体を並設して構成されており、該積層蓄熱体は、蓄熱板の複数枚を所要間隔を置いて積層し且つ全体が積層方向で一体化されてなり、該積層蓄熱体を構成する上下の蓄熱板の間には間隔保持片が介在され、該上下の蓄熱板間に、前記横方向空気流路の間隙幅に等しい上下幅を有する通気間隙が形成されていることを特徴とするものである。
【００２３】
本発明に係る蓄熱装置の第１１の態様は次の構成を有する。即ち、前記第１０の態様において、前記蓄熱板の表裏の中央部分が対向状態に窪んでおり、前記間隔保持片の上下端部分が該窪み部に嵌め入れられて、前記上下の蓄熱板間に前記通気間隙が形成されていることを特徴とするものである。
【００２４】
本発明に係る蓄熱装置の第１２の態様は次の構成を有する。即ち、前記第２〜第９の何れかの態様において、前記蓄熱体には、前記空気放出口に面する部分に混合空間が設けられており、該混合空間は前記蓄熱板部の積層部分が、その上端から前記空気放出口の下端に至る部分で取り除かれた状態とされることによって構成されていることを特徴とするものである。
【００２５】
本発明に係る蓄熱装置の第１３の態様は次の構成を有する。即ち、前記第１〜第１２の何れかの態様の蓄熱装置を構成する前記蓄熱槽が、建物の床下空間に配設されており、前記蓄熱槽は、該床下空間に架設されている大引を横切るように配設され、且つ、該大引を支持する束を収容状態に逃がすための逃がし空間を形成する逃がし筒部が設けられていることを特徴とするものである。
【００２６】
本発明に係る蓄熱装置の第１４の態様は次の構成を有する。即ち、前記第１〜第１２の何れかの態様の蓄熱装置を構成する前記蓄熱槽が、建物の床下空間に配設されており、前記蓄熱槽は、該床下空間に架設されている大引を横切るように配設され、且つ、該大引を支持する束を収容状態に逃がすための逃がし空間を形成する逃がし筒部が設けられており、前記吹出口から前記蓄熱槽内に吹き出された空気が、該逃がし筒部と前記囲壁部との間に形成されている移動流路を移動することを特徴とするものである。
【００２７】
本発明に係る蓄熱装置の第１５の態様は次の構成を有する。即ち、前記第１〜第１２の何れかの態様の蓄熱装置を構成する前記蓄熱槽が、建物の床下空間に配設されており、前記蓄熱槽は、その下端が前記床下空間の底部から浮き上がった状態で該床下空間で吊下状態に配設されており、前記囲壁部の上部が床部で閉じられた状態にあることを特徴とするものである。
【００２８】
本発明に係る蓄熱装置の第１６の態様は次の構成を有する。即ち、前記第１〜第１２の何れかの態様の蓄熱装置を構成する前記蓄熱槽が、建物の床下空間に配設されており、前記蓄熱槽は、その下端が前記床下空間の底部から浮き上がった状態で該床下空間で吊下状態に配設されており、該吊下は、前記囲壁部の上端側が、該床下空間の上部に配設された横架材に固定されて行われており、前記囲壁部の上部が床部で閉じられた状態にあることを特徴とするものである。
【００２９】
本発明に係る蓄熱装置の第１７の態様は次の構成を有する。即ち、前記第１〜第１２の何れかの態様の蓄熱装置を構成する前記蓄熱槽が、建物の床下空間に配設されており、前記空気放出口から放出された空気を含む床下空間の空気を、建物の内部空間を通して上昇させて、該建物の天井裏空間に流入させる如くなされており、該天井裏空間の空気の一部が、屋外に設置されたエアコン室外機の吸込口に吸い込まれると共に、該吸込口に吸い込まれた空気量に見合う量の外気が前記建物内に導入される一方、前記天井裏空間の残余の空気が前記エアコン室内機の吸込口に吸い込まれる如くなされていることを特徴とするものである。
【００３０】
本発明に係る蓄熱装置の第１８の態様は次の構成を有する。即ち、前記第１〜第１２の何れかの態様の蓄熱装置を構成する前記蓄熱槽が、建物の床下空間に配設されており、前記空気放出口から放出された空気を含む床下空間の空気を、建物の内部空間を通して上昇させて、該建物の最上部の天井裏空間に流入させる如くなされており、該天井裏空間の空気の一部が、前記建物の外部に設置されたエアコン室外機の吸込口に吸い込まれると共に、該吸込口に吸い込まれた空気量に見合う量の外気が前記建物内に導入される一方、前記天井裏空間の残余の空気が前記エアコン室内機の吸込口に吸い込まれる如くなされていることを特徴とするものである。
【００３１】
本発明に係る蓄熱装置の第１９の態様は次の構成を有する。即ち、前記第１８の態様に係る建物の空調設備において、前記蓄熱槽の前記空気放出口から放出された空気を、前記建物の屋内の壁体を支持する土台に設けた欠切状部を通して該壁体の内部に設けた壁内通気路に流入させ、該壁体の上端側で、一階の天井裏空間に流入させる如くなされ、この流入された空気を、最終的に、前記最上部に位置する天井裏空間に流入させる如くなされていることを特徴とするものである。
【００３２】
本発明に係る蓄熱装置の第２０の態様は次の構成を有する。即ち、前記第１９の態様に係る建物の空調設備において、前記複数の空気放出口の内の少なくとも一つは、前記床下空間において、布基礎の途切れた部分に向けて空気を放出させる如くなされており、或いは、該布基礎に設けた通気開口に向けて空気を放出させる如くなされていることを特徴とするものである。
【発明の効果】
【００３３】
本発明は以下の如き優れた効果を奏する。
(1) 本発明に係る蓄熱装置は、蓄熱槽の内部に納設状態とされている蓄熱体の内部に空気流路が設けられると共に、該蓄熱槽の内部の後部には空気反射部が設けられている。
該空気流路は、前記吹出口から前記蓄熱槽内に吹き出された空気を蓄熱体に効果的に接触させると共に、前記空気反射部は、エアコン室内機の吹出口から該蓄熱槽内に吹き出されて後方に移動した空気を反射させて方向転換させる。かかることから本発明の蓄熱装置によるときは、該後方に移動した空気を素通りさせないで、空気の保有熱を、蓄熱体の蓄熱のためにより効率的に利用できることとなる。
【００３４】
(2) 本発明に係る蓄熱装置は、前記蓄熱槽内の空気を放出させるための複数の空気放出口が設けられているため、該蓄熱槽から放出される温風や冷風を所望方向に向けて効果的に放出させることができる。かかることから、該蓄熱槽を例えば床下空間に設置した場合は、該床下空間には、部屋のサイズや部屋の配置状態に合わせて布基礎が所要に屈曲したり枝分かれ状態にあるところ、該温風や冷風を、かかる布基礎の配置状態を考慮して、例えば布基礎の途切れた部分や、布基礎に設けた通気開口に向けて空気を放出させる等、必要とされる場所に向けて効果的に放出させることができる。
【００３５】
(3) 前記蓄熱体を構成するに際して、水平板状を呈する蓄熱板部を、水平状態に拡がる横方向空気流路を相互間に形成するように所要間隔を置いて積層して構成するときは、蓄熱体全体としての熱交換面積を増大させることができる。そして、前記蓄熱槽内に吹き出された空気が各横方向空気流路（前記空気流路の一種）を移動する際、該空気の保有熱が、該蓄熱板部の水平面状を呈する上下の面に同時に付与されることとなる。これらによって、蓄熱体の蓄熱効率をより向上させることができる。
【００３６】
(4) 前記蓄熱体に前記横方向空気流路が設けられる場合、前記蓄熱槽内への前記吹出口からの空気の吹き出しが、該蓄熱槽の後部の、左右方向で見た一方の端部側に設けられている空気反射部に向けて行われるように構成されるときは、該蓄熱槽内の空気を前記横方向空気流路で、平面視で循環状態となし得、これにより、空気の保有熱を前記蓄熱体により均一状態に付与できることとなる。
この場合、前記空気反射部に方向規制ガイド面を設けるときは、前記吹出口から前記横方向空気流路に吹き出された空気を、該横方向空気流路で、平面視で循環状態となるように効果的に方向付けできることとなる。
又この場合、上下方向に多段に設けられている前記横方向空気流路を連通させるように、上下方向に延長する縦方向空気流路（前記空気流路の一種）が設けられているときは、該縦方向空気流路による上下方向の空気の移動によって、空気の保有熱を前記蓄熱板部の側面にも付与できる。又、上下方向の空気の移動によって、複数段の横方向空気流路内の空気が混合されることとなる。これらによって、蓄熱体の全体を極力均一状態に加熱可能となり、蓄熱体の蓄熱効率を、より向上させることができる。
【００３７】
(5) 前記蓄熱体を構成するに際し、前記蓄熱板部を構成する４枚の蓄熱板のコーナ部分に前記蓄熱板支持部材を介在させるときは、蓄熱板を前後方向及び左右方向に並設して前記蓄熱板部を構成する際、前記柱状片を定規にして各蓄熱板を位置決めできるため、蓄熱板を所要に位置決めして敷き並べるのが容易となり、前記蓄熱板部を精度よく然も作業性よく構成できることとなる。又、該蓄熱板部の積層を、所要間隔を確保して精度よく行うことができる。
この場合において、前記柱状片の高さを前記蓄熱板の上下方向の厚さよりも小さく設定すると共に、該台座片の下面部に固定突部を突設する場合は、下段の蓄熱板部の、前記四つのコーナ部分の集合する部位で、前記柱状片の上端の上方に固定凹部を形成できる。この固定凹部に該固定突部を嵌入することにより、蓄熱板支持部材の水平面内における位置が固定されるため、上段の蓄熱板部をより容易且つ能率的に構成できることとなる。
又この場合において、前記台座片を円板状に構成する場合は、前記横方向空気流路を流れる空気が、前記台座片の円形の外面によって左右に分かれて流れるため、該横方向空気流路を空気が流れる際の抵抗を極力減少させることができる。
又この場合において、前記台座片を、平面視で正方形状の正方形板状に構成する場合は、該台座片が、風に向って山形を呈する（前後方向に対して４５度傾斜した山形状面を呈する）如くなし得る。これによって、該横方向空気流路を流れる空気が該山形状面によって左右に分かれて流れるため、該横方向空気流路を空気が流れる際の抵抗を極力減少させることができる。
【００３８】
(6) 前記蓄熱体に前記横方向空気流路が設けられる場合において、前記蓄熱体の前記空気放出口に面する部分に混合空間を設ける場合は、該空気放出口からの空気放出の際に、複数段の横方向空気流路から該混合空間に流出された空気を混合状態として、空気の温度を均一化させ得る。
【００３９】
(7) 本発明に係る蓄熱装置を構成する蓄熱槽を建物の床下空間に配設する場合において、該蓄熱槽を、該床下空間に架設されている大引を横切るように配設し、且つ、該大引を支持する束を収容状態に逃がすための逃がし空間を設けるときは、制約の多い床下空間に、容積のより大きい蓄熱槽を、該束を避けながら合理的に配設できることとなる。
そして、このように逃がし空間を設けるときは、前記吹出口から該蓄熱槽内に吹き出された空気が、該逃がし空間を形成する逃がし筒部と前記囲壁部との間に形成されている移動流路を移動するように構成することにより、該逃がし筒部を、該蓄熱槽の内部で空気を移動させる際のガイドとしても機能させ得る。
【００４０】
(8) 本発明に係る蓄熱装置を構成する蓄熱槽を建物の床下空間に配設する場合において、該蓄熱槽を、その下端が該床下空間の底部から浮き上がった吊下状態に配設するときは、該蓄熱槽の下側空間を作業空間として活用できる。かかることから、例えば、床下空間の底部において配管や配線を施す際、これらの作業を該蓄熱槽が障害となることなく合理的に行い得る。又、このように下側空間が形成されるため、床下空間の底部側における空気の流れを円滑化できることとなる。
そして、このように蓄熱槽を吊下状態で配設する場合は、前記囲壁部の上部が床部で閉じられるように構成されるため、該床部は、前記蓄熱体からの放熱や、該蓄熱槽内に吹き出された温風によって加温される。従って、該床部上の部屋やその周辺の部屋の床暖房又は床冷房が図られ、部屋が間接的に温められ又は冷やされることとなる。
【００４１】
(9) 前記蓄熱槽を床下空間で吊下状態に配設する場合、該吊下を、前記囲壁部の上端側を、該床下空間の上部に配設された横架材に固定して行う場合は、該吊下状態での配設を該横架材の上端を基準にして行うことができる等、吊下作業の能率化を期し得る。
【００４２】
(10)蓄熱板の複数枚を間隔保持片を介在させて所要間隔を置いて積層し、これによって、上下の蓄熱板間に所要の通気間隙を形成し、且つ全体を一体化して積層蓄熱体を構成し、該積層蓄熱体を並設して前記蓄熱体を構成する場合は、個々の蓄熱板を積層して蓄熱体を構成する場合に比し、現場施工の能率化を期し得ることとなる。
かかる積層蓄熱体を構成する際、蓄熱板の表裏の中央部分が対向状態で窪んでいる場合において、前記間隔保持片の上下端部分を上下の窪み部に嵌め入れ、上下の蓄熱板間に所要の通気間隙を形成する場合は、該間隔保持片が該上下の窪み部に拘束されるため、積層されている蓄熱板が横ずれする恐れがなく、又、蓄熱板の中央部分を撓みにくくなし得て、積層蓄熱体をより安定的に構成できることとなる。
【００４３】
(11)本発明に係る建物の空調設備は、床下空間に配設された蓄熱槽の前記空気放出口から放出された空気を含む床下空間の空気を、建物の内部空間を通して上昇させ、該建物の天井裏空間に流入させる。そして、該天井裏空間の空気の一部が、屋外に設置されたエアコン室外機の吸込口に吸い込まれる一方、前記天井裏空間の残余の空気が前記エアコン室内機の吸込口に吸い込まれる如く構成されている。
然して該建物の空調設備によるときは、建物内で空気循環を生じさせることができ、建物を効果的に換気できると共に建物の内部を効果的に暖房でき或いは冷房できる。
そして該空調設備においては、新鮮な外気を建物の内部に取り込む必要から、建物の内部の空気を屋外に排出する必要があるところ、該空調設備は、天井裏空間の空気をエアコン室外機の吸込口に吸い込ませる構成を採用している。従って、天井裏空間の空気の温度は、建物を暖房しているときは外気温よりも高いことに鑑み、又、建物を冷房しているときは外気温よりも低いことに鑑みれば、該天井裏空間の空気の保有熱をエアコン室外機で回収できて全体的な熱効率の向上を期し得ることとなる。
【００４４】
(12)前記建物の空調設備においては、前記空気放出口から放出された空気を含む床下空間の空気を、建物の内部空間を通して上昇させるに際し、建物の屋内の壁体を支持する土台に設けた欠切状部を通して該壁体の壁内通気路に流入させ、該壁体の上端側で、一階の天井裏空間に流入させる如くなし、この流入された空気を、最終的に、最上部に位置する天井裏空間に流入させる如く構成されている。
このように構成する場合は、床下空間の空気を壁内通気路に流入させるための構造を簡素化できる。又、前記床下空間の空気や前記壁内通気路の空気、前記天井裏空間の空気が夫々熱源となって建物を暖房でき或いは冷房できると共に、建物の内部結露を防止できることともなる。
【図面の簡単な説明】
【００４５】
【図１】本発明に係る蓄熱装置を説明する側面図である。
【図２】蓄熱槽の内部に蓄熱体が納設されている状態を示す断面図である。
【図３】床下空間に設けた蓄熱装置の全体構成を説明する一部断面平面図である。
【図４】その斜視図である。
【図５】有底箱体の構成を説明する斜視図である。
【図６】有底箱体を床下空間で吊下した状態を示す斜視図である。
【図７】その横断面図である。
【図８】その縦断面図である。
【図９】蓄熱槽の底部を示す斜視図である。
【図１０】蓄熱槽の内部に蓄熱体が納設されている状態を示す部分拡大断面図である。
【図１１】水平板状を呈する蓄熱板部を示す部分斜視図である。
【図１２】蓄熱板を示す平面図と、蓄熱板部を構成する４枚の蓄熱板の四つのコーナ部分の集合部位を示す平面図と、蓄熱板支持部材を示す斜視図である。
【図１３】蓄熱槽の内部における蓄熱板の構成を示す平面図である。
【図１４】その部分斜視図である。
【図１５】その部分斜視図である。
【図１６】その部分斜視図である。
【図１７】蓄熱槽の内部における空気の循環状態と、蓄熱槽からの空気の放出状態を説明する説明図である。
【図１８】蓄熱体に設けられた横方向空気流路における空気の流れ状態を説明する説明図である。
【図１９】建物の空調設備の全体構成を説明する説明図である。
【図２０】建物の空調設備における壁体内部の空気の流れ状態を説明する説明図である。
【図２１】建物の空調設備を構成する建物の内部構成を説明する斜視図である。
【図２２】天井裏空間の空気をエアコン室外機に吸引させる構成を説明する斜視図である。
【図２３】建物の空調設備を構成する屋内の壁体の構造と壁内通気路における空気の流れ状態を説明する斜視図である。
【図２４】蓄熱装置の他の構成を説明する一部欠切斜視図である。
【図２５】蓄熱装置のその他の構成を説明する一部欠切斜視図である。
【図２６】その蓄熱装置の構成を示す分解斜視図と、その内部における蓄熱体の構成を説明する断面図である。
【図２７】その蓄熱装置を構成する蓄熱槽とその内部における蓄熱体の納設状態を説明する断面図である。
【図２８】その蓄熱装置の床下空間における設置状態を示す平面図である。
【図２９】その蓄熱装置を用いて構成された建物の空調設備を説明する斜視図である。
【図３０】蓄熱槽の他の態様を、その内部に蓄熱体が納設された状態で示す断面図である。
【図３１】積層蓄熱体の一例を示す斜視図である。
【図３２】その積層蓄熱体を構成する蓄熱板支持部材の構成を説明する斜視図である。
【図３３】積層蓄熱体の他の構成を説明する斜視図と側面図である。
【図３４】積層蓄熱体を用いて構成された蓄熱体の他の態様を説明する部分斜視図である。
【図３５】積層蓄熱体を敷き並べた状態を示す側面図である。
【図３６】積層蓄熱体のその他の態様を説明する斜視図と部分側面図である。
【図３７】中央部分が対向状態で窪んでいる蓄熱板を間隔保持片を介在させて積層する積層態様を説明する斜視図と側面図である。
【図３８】積層蓄熱体を間隔保持片を介在させて積層する場合を説明する斜視図と、積層蓄熱体上に蓄熱板の複数枚を間隔保持片を介在させて積層した状態を示す斜視図である。
【図３９】積層蓄熱体を構成する結束材の他の態様を説明する斜視図である。
【図４０】蓄熱槽の内部に、棒状支持杆を用いて蓄熱板を納める場合を説明する斜視図である。
【図４１】その断面図である。
【図４２】その断面図である。
【図４３】金網状の支持部材上に蓄熱袋を敷き並べて蓄熱体を構成する場合を示す一部断面側面図である。
【図４４】空気反射部において空気を方向転換させる他の態様を示す説明図である。
【図４５】蓄熱槽の内部に前側の連通空間と後側の連通空間を設けた蓄熱装置を説明する側面図と、その蓄熱槽の内部における蓄熱体の納設状態を示す一部断面側面図である。
【図４６】エアコン室内機を床下空間で吊下状態とした場合を示す側面図である。
【図４７】蓄熱槽を床下空間で吊下状態で設ける場合において、該有底箱体の上端を横架材の上端の稍下方に位置させた状態を示す断面図である。
【図４８】蓄熱槽を床下空間で吊下状態に設ける場合において、横架材の全てを大引を以て構成した場合を示す断面図である。
【図４９】台座片が正方形板状を呈する蓄熱板支持部材を用いて蓄熱板部を構成した場合を説明する斜視図である。
【図５０】その蓄熱板支持部材を示す斜視図と、これを用いて構成された蓄熱板部を示す部分平面図である。
【図５１】その蓄熱板支持部材を用いて構成された蓄熱体における、横方向空気流路での空気の流れ状態を説明する説明図である。
【図５２】端側の蓄熱板支持部材を示す斜視図と、これを用いて構成された蓄熱板部を示す部分平面図である。
【図５３】端側の蓄熱板支持部材のその他の態様を示す斜視図と、これを用いて構成された蓄熱板部を示す部分平面図である。
【図５４】蓄熱板支持部材のその他の態様を示す斜視図とその使用状態を示す断面図である。
【図５５】その蓄熱板支持部材を用いて構成された蓄熱板部を示す部分斜視図である。
【図５６】蓄熱板支持部材のその他の態様を示す斜視図である。
【図５７】その蓄熱板支持部材を用いて構成された蓄熱板部を示す部分斜視図である。
【図５８】蓄熱板支持部材のその他の態様を示す斜視図である。
【図５９】蓄熱板支持部材のその他の態様を示す斜視図である。
【図６０】蓄熱板支持部材のその他の態様を示す平面図である。
【図６１】上下の蓄熱板間に間隔保持片を介在させて構成された蓄熱板部を示す斜視図である。
【図６２】上下の蓄熱板間に間隔保持片を介在させて構成された蓄熱板部のその他の態様を示す斜視図である。
【図６３】蓄熱槽の空気反射部に方向規制ガイド面を設けた場合を示す平面図である。
【図６４】蓄熱槽に設けた空気放出口からの空気放出の他の態様を示す説明図である。
【図６５】天井裏空間の空気の一部を屋外に排出するに際し、その流路に熱交換器を介在させた場合を示す説明図である。
【図６６】布基礎に設けた通気開口に空気を放出する場合を説明する平面図と斜視図である。
【図６７】土台に設ける欠切状部の他の態様を示す断面図である。
【図６８】従来の床下暖房システムを説明する断面図である。
【図６９】その床下暖房システムの問題点を説明する説明図である。
【発明を実施するための形態】
【実施例１】
【００４６】
図１〜４において本発明に係る蓄熱装置１は、角筒状の囲壁部２の上部２９と下部１１６が閉じた箱状を呈する蓄熱槽３が建物の床下空間４に配設されている。該蓄熱槽３の内部５には、図２〜４に示すように、蓄熱体６が納設されると共に該蓄熱槽３の前部７に、エアコン室内機９の吹出口１０が吹出用ダクト１４３を介して連設され、該蓄熱槽３の所要部位には、該蓄熱槽３内の空気を該床下空間４に放出させる空気放出口１１が設けられている。なお図３〜４においては、図２に示されている後述の床部３０が省略されている。そして、該蓄熱槽３の内部５の後部１２には、図３に示すように、前記吹出口１０から前記蓄熱槽３内に吹き出されて後方に移動した空気を反射させて方向転換させるための空気反射部１３が設けられている。又図２、図１０に示すように、前記蓄熱体６には、前記蓄熱槽３内に吹き出された空気を流すための空気流路１５が設けられている。
【００４７】
ここで、かかる蓄熱装置１を前記床下空間４に配設する場合の特殊性について説明する。先ず、該床下空間４は例えば図３〜４に示すように、布基礎１６や大引１７、該大引１７を支持する束１９等の各種の構造物が複雑に配置されている空間であるため、該蓄熱装置１は、これらを避けて床下空間４に合理的に配設する必要がある。又、該蓄熱装置１によって建物の空調をより効果的に行わせるためには、該床下空間４の内面を適宜断熱する必要がある。
【００４８】
これらを踏まえて、本実施例においては例えば図１〜２、図２０に示すように、該床下空間４のコンクリート底面２０と、前記布基礎１６の内の主として外周側に位置するものの内側面２１に、例えば２５〜４５ｍｍ程度の厚さを有する発泡ポリウレタン樹脂の吹付け層２２を形成している。該吹付け層２２は、該コンクリート底面２０上においては例えば２０ｍｍ程度の厚さに設定され、該吹付け層２２の上面部が床下空間４の底部２３を形成している（図１〜２）。又、外周側に位置する布基礎１６の前記内側面２１には、例えば４０ｍｍ程度の厚さの吹付け層２２が形成されている（図２０）。
【００４９】
そして前記蓄熱槽３は、図１〜２に示すように、その下端２５が前記床下空間４の前記底部２３から浮き上がった状態で該床下空間４で吊下状態に配設されており、該吊下は、前記囲壁部２の上端側２６が、前記床下空間４の上部に配設された横架材２７に固定されて行われ、本実施例においては、前記囲壁部２の上部２９が床部３０で閉じられている。
【００５０】
前記蓄熱槽３を構成する前記囲壁部２は、本実施例においては図５〜７に示すように、無垢板、集成板、合板、パーチクルボード、ＭＤＦ等の木質系素材を以て構成されており、前の側板３１と後の側板３２と左右の側板３３，３５の端部相互を釘着等により接合して矩形状枠体として構成されている。そして、該囲壁部２の平面視での略中央部分には、前記大引１７を支持する束１９を収容状態に逃がすための逃がし空間３６を形成する逃がし筒部４２が設けられている。該逃がし筒部４２は、本実施例においては左右方向に長く形成されており、該逃がし筒部４２は、前の側板３７と後の側板３９と左右の側板４０，４１の端部相互を釘着等により接合してなる角筒状を呈しており、その内部空間が前記逃がし空間３６を構成する。そして図７に示すように、該逃がし筒部４２の下端４３と前記囲壁部２の下端４５は同一の水平面内に存しており、該水平面の稍上側部位で、該囲壁部２と該逃がし筒部４２との間を閉じる底板４６が配設されている。図５は、該囲壁部２と該逃がし筒部４２と該底板４６とによって構成された上端開放の有底箱体４９を示す。
【００５１】
該有底箱体４９は、本実施例においては図６〜８に示すように、大引１７ａとしての横架材２７ａを横切って床下空間４に配設される。そのために、該有底箱体４９の平面視での略中央部分には、該大引１７ａを支持する束１９を逃がすための前記逃がし空間３６を該大引１７ａの下側に形成できるように、前後方向に長い角筒状の前記逃がし筒部４２が設けられているのである。
【００５２】
前記束１９は、図７に示すように、上下方向で伸縮可能な伸縮式束として構成されている。該伸縮式束は例えば同図に示すように、上下に長い角筒部５０の上下端部分に逆ネジのネジ孔部５１，５２が設けられており、該ネジ孔部５１，５２に上下のネジ軸部５３，５５が螺合されている。そして該上下のネジ軸部５３，５５の端部には、例えば板状を呈する上下の取付け片５６，５７が固定されており、該上の取付け片５６は前記大引１７の下面５９に釘着される一方、該下の取付け片５７は、床下空間４の前記コンクリート底面２０に、アクリル系等の接着剤を介して釘着される。該束１９による大引１７ａの高さ調整は、前記角筒部５０を正逆回転させて束の上下長さを所要に設定して行う。
【００５３】
本実施例においては図５において、前記角筒状の囲壁部２の前後左右の側板３１，３２，３３，３５の肉厚、前記角筒状の逃がし筒部４２の前後左右の側板３７，３９，４０，４１の肉厚は夫々、１２ｍｍ程度に設定され、該囲壁部２の前後方向Ｆ１の長さＬ１は１６１９ｍｍ程度に設定されると共にその左右方向Ｆ２の長さＬ２は２６６９ｍｍ程度に設定され、前記逃がし筒部４２の前後方向長さＬ３は１６０ｍｍ程度に設定されると共にその左右方向の長さＬ４は１１２５ｍｍ程度に設定されている。又、前記逃がし空間３６の前後方向の長さＬ５は１２０ｍｍ程度に設定されると共にその左右方向の長さＬ６は１１００ｍｍ程度に設定されており、該逃がし空間３６で、前記大引１７ａの下面５９を支持する束１９を立設状態で収容可能となされている。本実施例においては、図８に示すように、左右側に２本づつの束１９，１９、１９，１９が収容可能となされている。この束の本数や配置状態は、前記蓄熱体６が収容されてなる前記有底箱体４９の重量を安定的に支持できるように所要に設定される。
【００５４】
又、前記左右の側板３３，３５の上縁側の中央部位には、図５〜６に示すように、前記大引１７ａを嵌め入れ可能な左右の矩形状の嵌入凹部６０，６０が設けられている。そして図６〜７に示すように、前記前後の側板３１，３２の上端側部分６１，６２は、前記横架材２７ａとしての大引１７ａの前後に配設されてなる横架材２７ｂ，２７ｃの対向する側面６３，６５に釘着により固定される。又前記逃がし筒部４２は、前後の側板３７，３９の上端側部分６６，６７が、前記大引１７ａの前後の側面６９，７０に釘着により固定されるものとなされ、前記左右の側板４０，４１は、図５〜６に示すように、その上端７１，７２が該大引１７ａの下面７３に当接する如くなされている。
【００５５】
かかる構成を有する有底箱体４９は、例えば施工現場で、次のように形成できる。図１〜４は、前記床下空間４の内の居間７４の下側をなす区画空間部４ａで前記有底箱体４９を吊下状態に設けた場合を示しており、該有底箱体４９を構成する前記囲壁部２の上端側２６が、該区画空間部４ａの上部に配設された横架材２７に固定されている。
【００５６】
本実施例においては図６〜７に示すように、中央の横架材２７ａとこれに隣り合う前の横架材２７ｂは大引１７ａ，１７ｂとして構成されると共に、後の横架材２７ｃは、寸法調整用間隙７５を隔て且つ土台７６と平行して配設された支持棒材７７として構成されている。該支持棒材７７は、図６〜７においては横断面矩形の角棒状に形成されており、該支持棒材７７と前記土台７６の向き合う側面７９，８０相互が、該支持棒材７７の長さ方向に所要間隔を置いて配設された例えば４枚の連結片８１，８１，８１，８１で連結されている。これによって、該支持棒材７７が前記土台７６に固定されている。そして、該３本の横架材２７ａ，２７ｂ，２７ｃの上端８２，８３，８５は面一の水平面に形成されている。なお前記寸法調整用間隙７５は、前記蓄熱槽３の内部５に前記蓄熱体６を納設状態とするに際して、後述の蓄熱板１５２の寸法と該蓄熱槽３の内部５の前後方向長さとの関係で生ずる前後方向長さの過不足を調整するために設定されている。
【００５７】
そして図６〜７に示すように、前記囲壁部２の前後の側板３１，３２の上端側部分６１，６２を前記前後の横架材２７ｂ，２７ｃの対向する側面６３，６５に釘着すると共に、前記角筒状の逃がし筒部４２の前後の側板３７，３９の上端側部分６６，６７を前記中央の横架材２７ａの前後の側面６９，７０に釘着することにより、前記有底箱体４９が吊下状態に設けられている。該前後の側板３１，３２と該前後の側板３７，３９の上下長さは等しく設定され、例えば４９０ｍｍに設定されている。そして図６〜７に示すように、これらの側板３１，３２，３７，３９の上端を、前記横架材２７ａ，２７ｂ，２７ｃの上端８２，８３，８５と面一状態に位置させてある。詰まり本実施例においては、前記有底箱体４９の吊下作業を前記横架材２７ａ，２７ｂ，２７ｃの該上端を定規にして行っているのである。
【００５８】
又図６に示すように、前記前後の側板３１，３２の左端相互を、前記左の側板３３で連結する。この際、前記中央の横架材２７ａを前記左の嵌入凹部６０に嵌め入れて、該左の側板３３の両端部分を前記前後の側板３１，３２の左端面に当接状態とし、該接合部分を釘着する。そして、前記前後の側板３１，３２の右端相互を、前記右の側板３５で連結する。この際、前記中央の横架材２７ａを前記右の嵌入凹部６０に嵌め入れて、該右の側板３５の両端部分を前記前後の側板３１，３２の右端面に当接させた状態とし、該接合部分を釘着する。又図６〜７に示すように、前記前後の側板３７，３９の左端相互を、前記左の側板４０で連結する。この際、該左の側板４０の両端部分を前記前後の側板３７，３９の左端面に当接させた状態とし、該接合部分を釘着する。そして、前記前後の側板３７，３９の右端相互を、前記右の側板４１で連結する。この際、該右の側板４１の両端部分を前記前後の側板３７，３９の右端面に当接させた状態とし、該接合部分を釘着する。これにより、前後の側板３１，３２と左右の側板３３，３５とからなる前記囲壁部２の下端４５（図７）は同一水平面上に存する。又、前後の側板３７，３９と左右の側板４０，４１とからなる前記逃がし筒部４２の下端４３（図７）は同一水平面上に存する。
【００５９】
前記底板４６は、図７、図９に示すように、前記角筒状の囲壁部２の下部１１６を閉じるものであり、前記逃がし筒部４２を挿通状態とするための長方形状の開口１１７（図７）が中央部に設けられている。又、該底板４６の下面１１９の、外周縁部分と該開口の周縁部分には、周方向に連続する状態で桟材１２１が矩形状に枠組して釘着により固定されている。そして、該外側の桟材１２１ａが前記囲壁部２の下端部分１２２の内面１２３（図１１）に当接され且つ該下端部分１２２と該桟材１２１ａとが釘着により固定されると共に、前記内側の桟材１２１ｂが前記逃がし筒部４２の下端部分１２５の外面１２６に当接され且つ該下端部分１２５と該桟材１２１ｂとが釘着により固定されている。なお該底板４６の下面１１９は、例えば図９に示すように、前後方向に延長する補強桟材１２７が左右方向に所要間隔を置いて配設されると共に底板４６に釘着により固定され、前記蓄熱体６を下方から支持できるように該底板４６が補強されている。これによって図６に示すように、平行する前記３本の横架材２７ａ，２７ｂ，２７ｃに前記有底箱体４９が吊下状態とされている。本実施例においては図６に示すように、前記底板４６の縁部側に水抜き孔１２９（例えば孔径が３０ｍｍ程度）が設けられており、該底板４６の上面１３０は、該水抜き孔１２９に向けて１／１００程度の水勾配が設けられている。なお該底板４６は、複数枚の合板を接合して一枚板状に構成できる。
【００６０】
そして本実施例においては図５に示すように、前記囲壁部２を構成する前の側板３１の、左右方向で見た一方の端部側（図５においては右端部側）１３１に、前記エアコン室内機９の吹出口１０を連設するための、左右方向に長い矩形状開口１３２が設けられると共に、前記後の側板３２の中央部位と、前記左の側板３３の後側部位と、前記右の側板３５の後側部位に、前記蓄熱槽３内に吹き出された空気を床下空間４に放出させるための、例えば円形孔としての空気放出口１１，１１，１１が設けられている。
【００６１】
図６は、前記エアコン室内機９の吹出口１０を、吊下状態にある前記有底箱体４９に連結部材１３５を介して連結した状態を示している。該連結部材１３５は、本実施例においては図５に示すように、後端１３６が開放して左右方向に長い扁平な矩形状箱部１３７の後端周縁に、前記矩形状開口１３２の前側の周縁部分１３９と当接し得る固定鍔部１４０が連設されてなる皿状を呈している。そして、該矩形状箱部１３７の前面部１４１の左右部位には連結筒部１４２，１４２が突設されている。図６は、前記固定鍔部１４０を前記周縁部分１３９に当接させ且つビス固定した状態を示す。又同図は、前記エアコン室内機９の前記吹出口１０に連結されてなる２本の吹出用ダクト１４３，１４３の端部分１４５，１４５の夫々に前記連結筒部１４２，１４２を挿入することにより該吹出用ダクト１４３，１４３を前記連結部材１３５に連結した状態を示している。なお該吹出用ダクト１４３，１４３は、蛇腹状のフレキシブル樹脂管を用いて構成するのがよく、該吹出用ダクトの外周面は断熱材で被覆するのが好ましい。
【００６２】
又図６は、空気放出用のファンが内蔵された空気放出具１４６の挿入筒部１４７（図５）を前記空気放出口１１，１１，１１に気密を保持して挿入することによって、該空気放出具１４６を前記有底箱体４９に取り付けた状態を示している。該ファンの風量は例えば３段階に調整できる。
【００６３】
図２、図１０は、前記有底箱体４９内に納設された蓄熱体６を示し、該蓄熱体６は本実施例においては、水平板状を呈する蓄熱板部１４９を、水平状態に拡がる横方向空気流路１５０を相互間に形成するように所要間隔Ｇ（図１０）を置いて積層して構成されている。該蓄熱板部１４９は、本実施例においては図１１〜１２に示すように、矩形板状の蓄熱板１５２を水平に敷き並べて形成されている。そして前記横方向空気流路１５０は、図１１〜１２に示すように、上下の蓄熱板部１４９，１４９間に、柱状型の蓄熱板支持部材１５３を介在させて形成されている。該蓄熱板支持部材１５３は、例えば木製やプラスチック製であり、前記所要間隔Ｇ、即ち、前記横方向空気流路１５０の間隙Ｇ１（図１０）を、５〜４０ｍｍ程度に設定するものである。該間隙Ｇ１が４０ｍｍを越えると、該横方向空気流路１５０を流れる空気の保有熱を前記蓄熱板１５２に効率よく伝達しにくく、前記蓄熱板１５２の蓄熱効率が悪くなって好ましくない。又、５ｍｍよりも小さいと該横方向空気流路１５０に空気が流れにくくなって好ましくない。本実施例においては、該間隙Ｇ１が１５ｍｍ程度に設定されている。
【００６４】
前記蓄熱板１５２は、本実施例においては図１１、図１２（Ａ）に示すように、長辺長さが２９０ｍｍ程度で短辺長さが１９５ｍｍ程度で厚さが２０ｍｍ程度であるポリエチレン等の樹脂製容器や金属製容器内に潜熱蓄熱材を封入して構成されており、その表面（上下の表面）１５６には補強用の凹部１５７が適宜設けられている。又、図示はされていないが、該表面１５６に、適宜の突部が設けられることもある。この凹部１５７や突部は、該蓄熱板１５２の表面積を多くして蓄熱効率を向上させるためにも寄与できると共に、前記横方向空気流路１５０を流れる空気に適度な乱流を発生させ、流れる空気と、該凹部１５７の内面を含む前記表面（伝熱面）１５６との接触を良好として熱交換効率を向上させるためにも寄与できる。そして該潜熱蓄熱材は、物質の相変化に伴って吸収又は放出される潜熱を利用する蓄熱材であるため、顕熱を利用するよりも一定の温度を供給できる時間を長く保持できる利点があって好ましい。
【００６５】
又、前記蓄熱板１５２は図１１、図１２（Ａ）に示すように、その四つのコーナ部分１５９，１５９，１５９，１５９が隅切りされ、該コーナ部分１５９の側面が、平面視で円弧状（本実施例においては四分割円弧状）を呈する隅切り面１６１として形成されており、各四分割円弧状面１６１ａの曲率半径は２２ｍｍ程度に設定されている。又、一方の短辺側の側面には、その中央部が台形状に凹んで注入用凹部１６２が設けられており、その凹部底面１６３の中央部位に、潜熱蓄熱材を充填するための注入口１６５が設けられている。そして、該注入口１６５から潜熱蓄熱材を充填した後に該注入口が栓体１６６で閉蓋されており、該閉蓋状態において、該栓体１６６は前記注入用凹部１６２に完全に納まっている。前記潜熱蓄熱材としては、例えばチオ硫酸ナトリウム水和物等のような従来公知のものを適宜用いることができ、その相変化温度は、例えば４５〜５０℃に調整され、本実施例では４５℃に設定されている。
【００６６】
前記蓄熱板支持部材１５３は、例えば図１２（Ｃ）に示すように、前記所要間隔Ｇに相当する高さを有する間隔保持用の台座片１６７（間隔保持片１６８）の上面部（本実施例においては該上面部の中央部）に、位置規制用の柱状片１７０が突設されてなり、該台座片１６７と該柱状片１７０の軸線が合致している。そして、該台座片１６７の、該柱状片１７０の周辺をなす支持面（前記上面部）１６９で、図１１、図１２（Ｂ）に示すように、前記蓄熱板１５２のコーナ部分１５９を下方から支持でき、該支持状態で、前記隅切り面１６１（円弧状面１６１ａ）が該柱状片１７０の円形の側面１７１に当接し得る。本実施例においては、該台座片１６７は、直径が４０ｍｍの円板状に形成されており、その高さは１５ｍｍに設定されている。又、前記柱状片１７０は、直径が１８ｍｍの円柱状に形成され、その高さは、前記蓄熱板１５２の上下方向厚さに等しいか、それより小さく設定されている。本実施例においては等しく設定されている。
【００６７】
図１２（Ｂ）は、前記蓄熱板支持部材１５３を、前記蓄熱板部１４９を構成する４枚の蓄熱板１５２，１５２，１５２，１５２の四つのコーナ部分１５９，１５９，１５９，１５９が集合する部位に介在させた状態を示すものであり、隣り合う蓄熱板１５２，１５２の短辺側の側面１７２，１７２相互及び、長辺側の側面１７３，１７３相互が当接されている。即ち、４枚の蓄熱板１５２が、前後方向Ｆ１及び左右方向Ｆ２で相互が当接されている。そしてこの状態において、前記蓄熱板部１４９を構成する４枚の蓄熱板１５２，１５２，１５２，１５２の四つのコーナ部分１５９，１５９，１５９，１５９が前記支持面１６９で下方から支持されると共に、前記隅切り面１６１，１６１，１６１，１６１が該柱状片１７０の側面１７１に当接した状態にある。これによって、蓄熱板部１４９を構成する各蓄熱板１５２が所要に位置決めされて敷き並べられた状態となっている。詰まり本実施例においては、該柱状片１７０を定規にして各蓄熱板１５２を位置決めされた状態にできるということである。そして図１１の右側部分には、前記蓄熱板支持部材１５３を介して、同様にして前記蓄熱板１５２を２段積みした状態が示されている。
【００６８】
図２、図１０は、多数の蓄熱板１５２を前記のように敷き並べて構成された蓄熱板部１４９を前記有底箱体４９の前記収容空所１７４に納設して構成された蓄熱体６を示すものである。該蓄熱体６を構成する要領の一例を説明すれば、図１０〜１１に示すように、前記底板４６の上面１３０上で、前記蓄熱板支持部材１５３を介して、前記のようにして前記蓄熱板１５２を前後方向及び左右方向に並設することにより、水平板状を呈する１段目の蓄熱板部１４９を構成する。なお図１０〜１１においては、該蓄熱板部１４９の前後方向及び左右方向で見た端縁側１７５，１７８にも前記蓄熱板支持部材１５３を配置している。
【００６９】
次に、図１０〜１１に示すように、該１段目の蓄熱板部１４９の上面１７６上において、前記蓄熱板支持部材１５３を介して蓄熱板１５２を並設することにより、水平板状を呈する２段目の蓄熱板部１４９を構成する。このとき該蓄熱板支持部材１５３は、その台座片１６７の下面１５１（図１１）が該上面１７６に当接して該上面１７６に安定設置される。そして本実施例においては図１１に示すように、２段目の蓄熱板支持部材１５３の軸線Ｌ７を、１段目の蓄熱板支持部材１５３の軸線Ｌ８と合致させている。又、前記上下の注入用状凹部１６２，１６２が上下方向で連通する如くなされている。これによって、水平板状を呈する上下の蓄熱板部１４９，１４９相互間に、前記台座片１６７が間隔保持片１６８として機能し、上下方向に前記所要間隔（本実施例においては、１５ｍｍ程度の間隔）Ｇが形成される。なお該所要間隔Ｇは、前記蓄熱板１５２の表面１５６に凹部１５７（図１１）が形成されているために各部で若干相違する。該所要間隔Ｇによって、上下の蓄熱板部１４９，１４９相互間に、水平状態に拡がる前記横方向空気流路１５０が形成される。３段目以降の蓄熱板部１４９を同様にして積層することにより、前記有底箱体４９の収容空所１７４に、図２、図１０に示すように蓄熱体６を納設状態にできる。なお本実施例においては、前記１段目の蓄熱板部１４９を、前記上面１３０から、前記蓄熱板支持部材１５３を介して稍浮き上げているが（１５ｍｍ程度浮き上げている）、これは、夏期等において蓄熱槽３内で結露が発生したときに結露水を流下させるための結露水排水路１７７を、前記蓄熱体６の下端下方に形成するためである。そのために前記上面１３０には、前記のように水勾配が設けられ、又、水抜き孔１２９（図５、図９）が設けられている。
【００７０】
該蓄熱板部１４９の段数は、本実施例においては１２段に設定されており、図１０に示すように、最上段の蓄熱板部１４９ａの上面１８０は、前記大引１７の上面８１よりも若干下方に位置している。又図１３に示すように、前記逃がし筒部４２の前後の側板３７，３９の外面１９７，１９９に、前記蓄熱板１５２の長辺側の側面１７３が接近状態になると共に、該逃がし筒部４２から外れた、前記中央の大引１７ａの下面５９の下側には、図２に示すように、前記蓄熱板１５２の１枚分を配置できるスペースが設けられている。より具体的には、前記逃がし筒部４２を挾んだ状態にある前後の蓄熱板１５２，１５２間の間隙Ｌ９（図１３）が該蓄熱板１５２の前記短辺長さに略等しく設定されている。
【００７１】
又本実施例においては、図１３、図１１に示すように、前記蓄熱板部１４９の前後方向Ｆ１及び左右方向Ｆ２で見た端縁側１７５，１７８にも前記蓄熱板支持部材１５３が配置されており、前記蓄熱板支持部材１５３の前記台座片１６７の支持面１６９で、例えば図１１に符号１８７で示すように、二つのコーナ部分１５９，１５９が支持されている。なお図１３においては、前記凹部１５７及び束１９の図示が省略されている。該端縁側１７５，１７８に配置される前記蓄熱板支持部材１５３は、該端縁側１７５，１７８を支持するためだけの機能を有するに過ぎない。
【００７２】
従って本実施例においては、図１３に示すように、前記囲壁部２の前記前後の側板３１，３２の内面１８７，１８９と、これと対向する前記蓄熱板部１４９の前後の側端面１９０，１９１との間、前記左右の側板３３  ，３５の内面１９２，１９３と、これと対向する前記蓄熱板部１４９の左右の側端面１９５，１９６との間、前記逃がし筒部４２の前後の側板３７，３９の外面１９７，１９９と、これと対向する前記蓄熱板部１４９の前後の側端面２００，２０１との間、該逃がし筒部４２の左右の側板４０，４１の外面２０２，２０３と、これと対向する前記蓄熱板部１４９の左右の側端面２０５，２０６との間に、夫々、２０ｍｍ程度の間隙２０７が形成されている。
【００７３】
又本実施例においては、図４、図１３に示すように、前記矩形状開口１３２に面する側において、左右方向で見て３枚の蓄熱板１５２が上下方向の全体に亘って取り外された状態とされて前側の連通空間２０９が形成されており、該矩形状開口１３２の全体が該前側の連通空間２０９に連通するようになされている。これによって、各段の前記横方向空気流路１５０の前端２１０（図１１）の夫々が該前側の連通空間２０９に連通状態にある。なお本実施例においては、該前側の連通空間２０９の前後方向の幅は前記蓄熱板１５２の短辺長さに等しく１９５ｍｍ程度に設定されると共に、その左右方向の幅は前記蓄熱板１５２の長辺長さの３倍に等しい８７０ｍｍ程度に設定されている。又、前記空気放出口１１，１１に面する部分においては１枚の蓄熱板１５２が、上端から該空気放出口１１の下端に至る部分で取り除かれた状態とされることによって混合空間２１１が設けられ、該空気放出口１１が該混合空間２１１に連通するようになされている。なお図３においては、該前側の連通空間２０９と該混合空間２１１が存する部分を、便宜上、斜線を付して示している。
【００７４】
図１〜２は、前記並設された横架材２７ａ，２７ｂ，２７ｃ上に床部３０を張設した状態を示している。同図に示されているように、該床部３０の張設によって、前記囲壁部２の上部２９と下部１１６が該床部３０と前記底板４６で閉じられてなる箱状の蓄熱槽３が構成され、該蓄熱槽３の内部に蓄熱体６が納設状態とされている。該蓄熱槽３は前記床下空間４において吊下状態にあり、前記矩形状開口１３２には、図３に示すように、前記連結部材１３５と前記吹出用ダクト１４３，１４３を介して、前記エアコン室内機９の吹出口１０が連設されている。
【００７５】
そして該蓄熱槽３の内部５には、図２、図１０に示すように、前記エアコン室内機９の吹出口１０から該蓄熱槽３内に吹き出された空気を流すための前記空気流路１５が設けられている。該空気流路１５の一つは、上下の蓄熱板部１４９，１４９相互間に形成された前記横方向空気流路１５０（図２、図１０）である。又、前記注入用凹部１６２が上下方向に連通して形成された、垂直状態を呈する縦方向空気流路２１２（図１０）である。又、図１３、図１４〜１５に示されている、前記蓄熱体６と、前記有底箱体４９の前後左右の側板３１，３２，３３，３５の内面１８７，１８９，１９２，１９３との間に形成された上下方向に連通した垂直状態を呈する縦方向空気流路２１２であり、又、図１６に示されている、前記蓄熱体６と、前記逃がし筒部４２の前後左右の側板３７，３９，４０，４１の外面１９７，１９９，２０２，２０３との間に形成された、上下方向に延長する縦方向空気流路２１２である。該縦方向空気流路２１２は、上下方向に多段に設けられた前記横方向空気流路１５０を連通させる。なお図１４〜１６においては、前記凹部１５７の図示が省略されている。
【００７６】
然して、前記エアコン室内機９を稼動させて前記蓄熱体６を加熱する場合を説明すれば、図１７、図１〜４、図１０において、該エアコン室内機９の吹出口１０から前記前側の連通空間２０９に、前記２本の吹出ダクト１４３，１４３の出口２１３，２１３から温風（例えば５０℃程度の温風）が吹き出される。該吹き出された温風は、該前側の連通空間２０９で分散されて、前記の各段の横方向空気流路１５０にその前端２１０（図１１）から流入する。該横方向空気流路１５０に流入した温風は、前記逃がし筒部４２に殆ど妨げられない状態で後方に移動し、前記蓄熱槽３内部の後部の前記空気反射部１３で反射されて方向転換される。
【００７７】
より具体的には図１７に示すように、前記前側の連通空間２０９に吹き出された温風は、各段の横方向空気流路１５０にその前端２１０から流入され、前記逃がし空間３６を形成する前記逃がし筒部４２と前記囲壁部２の右側部分２ａとの間の移動流路３８を後方に向けて移動する（矢印ｆ１）。この際、前記蓄熱板支持部材１５３の前記台座片１６７は、本実施例においては円板状に形成されているため、図１８に示すように、前記横方向空気流路１５０を流れる空気は、前記台座片１６７が存する部分では、その円形外面１７１に案内されて左右に分かれて流れる。これによって、該横方向空気流路１５０を空気が流れる際の抵抗を極力減少させることができる。なお図１８においては、便宜上、前記蓄熱板１５２の表面の前記凹部１５７が省略されている。
【００７８】
このように後方に移動した温風は、本実施例においては図１７に示すように、前記矩形状開口１３２と前後対向状態にある前記空気反射部１３に当った後、該空気反射部１３で反射されて方向転換され、前記逃がし筒部４２と前記囲壁部２の後側部分２ｂとの間の移動流路３８を左方向に移動する（矢印ｆ２）。このように左方向に移動した温風は、前記蓄熱槽３の内部５の左側面部２１５に当たって前方向に方向転換され、前記逃がし筒部４２と前記囲壁部２の左側部分２ｃとの間の移動流路３８を前方に移動する（矢印ｆ３）。その後、該内部５の前面部２１６に当たって右方向に方向転換され、前記逃がし筒部４２と前記囲壁部２の前側部分２ｄとの間の移動流路３８を、前記前側の連通空間２０９に向けて移動する（矢印ｆ４）。その後は、該前側の連通空間２０９からの横方向空気流路１５０内への後方向に向けての温風の流れ作用によって、後方向に方向付けされて移動する（矢印ｆ１）。その後は、前記と同様にして前記空気反射部１３で反射されて左方向に移動する（矢印ｆ２）。これによって本実施例においては、各段の横方向空気流路１５０で、図１７に矢印で示す方向の温風の循環が生ずることになる。本実施例においては、前記吹出口１０から前記蓄熱槽３内に吹き出された温風が、前記逃がし筒部３６と前記囲壁部２との間に形成されている移動流路３８を移動するのである。このように前記逃がし筒部４２は、前記束１９を逃がすための逃がし空間３６を形成するだけでなく、空気を所要方向に移動させるためのガイドとしての役割も果たす。
【００７９】
かかる温風の良好な循環によって、該温風の保有熱が、各蓄熱板１５２の、主として上の表面１５６ａ及び下の表面１５６ｂ（図１０〜１１）に、より均一状態に付与され、封入されている前記潜熱蓄熱体が加熱されて、伝熱効率の向上が図られることとなる。そして本実施例においては、このように蓄熱板部１４９を、上下方向に所要間隔を置いて多段に積層しているため、蓄熱体６全体としての熱交換の面積が大きく、従って該蓄熱体６に効率的に蓄熱させ得ることとなる。
【００８０】
又、前記のように、蓄熱板１５２の表面１５６の凹部１５７（図１１）は、該蓄熱板１５２の表面積を多くして蓄熱効率を向上させるために寄与できると共に、前記横方向空気流路１５０を流れる空気に適度な乱流を発生させて、流れる空気と該凹部１５７の内面を含む前記表面（伝熱面）１５６との接触を良好にでき、熱交換効率を向上させるために寄与できる。
【００８１】
なお本実施例においては前記したように、縦方向空気流路２１２が設けられているため、蓄熱槽３内の温風は該縦方向空気流路２１２を介して上下方向でも移動できる（図１０）。これによって、温風の保有熱を前記蓄熱板１５２の側面１７２，１７３（図１１）にも付与でき、前記潜熱蓄熱材をより効率的に加熱できることになる。又、図１０に示すような、これらの縦方向空気流路２１２における上下方向の温風の移動によって、各段の横方向空気流路１５０内の空気が混合されることともなる。これによって、蓄熱体６の全体を極力均一状態に加熱でき、該蓄熱体６に蓄熱させることができる。この蓄熱は、電気料金の安価な夜間電力時間帯に行うのがよい。
【００８２】
かかる温風による前記蓄熱体６の蓄熱の際、前記蓄熱槽３内に導入された温風の一部は前記空気放出口１１，１１，１１から放出される。該空気放出口１１，１１，１１からの温風の放出量は、前記空気放出具１４６，１４６，１４６の前記ファンを停止状態にして行うのがよい。該ファンを停止状態にしても、該空気放出具１４６が該ファンで完全に遮蔽されるわけではなく、該ファンの周囲の隙間から幾らかの温風が放出される。これによって、前記床下空間４に幾らかの温風を導入できる。なお、該ファンを所要の回転速度で回転させることによって、該空気放出口１１からの温風放出を強制的に行わせることもできる。又、このように蓄熱体６の蓄熱を行っている間において、前記空気放出口１１からの温風の放出量が比較的少ない場合は、例えば図３に一点鎖線で示すように、前記蓄熱槽３内の空気の一部を戻し管２１８を介して前記エアコン室内機９の吸込口２１９（図３）に流入させることもある。
【００８３】
昼間においては、前記エアコン室内機９の稼働を停止させ、これを送風状態にする。この送風によって、前記蓄熱槽３内に吹き出された常温の空気は、前記空気流路１５を通る際に、前記蓄熱体６が放熱する潜熱等の熱を与えられて温風となり、該蓄熱槽３内に吹き出された空気の一部が前記空気放出口１１，１１，１１から温風となって放出される。特に本実施例においては前記空気放出具１４６がファンを具えるため、該ファンを回転させることにより、前記エアコン室内機９の吸込口２１９（図３）への空気の流入量を増大させて前記蓄熱槽３内により多くの空気を流入させることができるため、該空気放出口１１，１１，１１を通しての温風の放出量をより増大させることができる。本実施例においては、このように、前記空気放出具１４６のファンの回転数や前記エアコン室内機９のファンの回転数を調節することによって前記空気放出口１１からの空気の放出量を所要に調節できることから、部屋の温度が上がってきた場合はこれらのファンをゆっくり回転させることとし、一方、部屋の温度が下がってきた場合はこれらのファンの回転数を上げるといった調節が可能である。なお、前記空気放出具１４６のファンを回転させる場合、前記エアコン室内機９をオフ状態にして送風させないこともある。このオフ状態においても、前記吸込口２１９に流入された空気は該エアコン室内機９を素通りできる。
【００８４】
そして図２に示すように、前記蓄熱槽３の上部２９は床部３０で閉じられた状態にあるため、該床部３０は、前記蓄熱体６からの放熱や、前記蓄熱槽３内に吹き出された温風によって加温され、居間やその周辺の部屋の床暖房が図られ、居間等が間接的に加温されることとなる。
【００８５】
かかる構成を有する蓄熱装置１は、本実施例においては、図１９〜２０に示す建物２２４、例えば二階建て住宅である建物２２４の空調設備（以下、空調設備という）２２０に応用されており、図２〜４に示すように、床下空間４の内の、居間の下側をなす区画空間部４ａに吊下状態に配設されている。該空調設備２２０は、図２に示すように、大引１７を含む平行する３本の横架材２７，２７，２７に前記有底箱体４９の上端側２２１が固定されることにより吊下されている。
【００８６】
そして、前記３個の空気放出口１１，１１，１１の夫々は、本実施例においては図３〜４、図１７に示すように、布基礎１６の途切れた部分（床下空間４で人が通る部分）２２２に向けて空気を放出できるように配置されている。これによって、図１７に矢印で示すように、前記居間に隣り合う部屋の下側をなす区画空間部４ｂ，４ｃ，４ｄに温風を流入させることができ、この温風を床下空間４に拡散させ得る。本実施例においては、前記蓄熱体６に蓄熱された熱の放熱を促進させるために前記の各空気放出口１１に、ファン内蔵の前記空気放出具１４６が接続されている。そして温風の放出量は、該ファンの回転の強弱によって調節できる。なお該空気放出具１４６の先端出口２２３は、前記途切れた部分２２２内に位置させてもよく、又、前記区画空間部４ｂ，４ｃ，４ｄ内に位置させてもよい。このように構成する場合も、前記空気放出口１１が前記途切れた部分２２２に向けて空気を放出させることに該当する。
【００８７】
そして、前記空気放出口１１，１１，１１から床下空間４に放出された温風は、本実施例においては図１９〜２１に示すように、建物２２４の内部空間２２５を通して上昇し、最終的に、二階の天井裏空間２２６に流入される如くなされている。そして、図３、図１９、図２１に示すように、該天井裏空間２２６の空気の一部が第１の縦ダクト２２７を介して、建物２２４の外部に設置されたエアコン室外機２２９の吸込口２３０に流入される一方、該天井裏空間２２６の残余の空気が第２の縦ダクト２３１を介して前記エアコン室内機９の吸込口２１９に流入される如くなされている。該一部の空気と該残余の空気の体積割合の一例は、該残余の空気の割合が大きく設定され、１対３乃至１対６程度とされる。又図３に示すように、外周側の布基礎１６ａには、前記残余の空気をエアコン室外機２２９の吸込口２３０に流入させる（即ち、屋外に排気する）関係で、その排気量に見合う量の外気を床下空間４に導入させるための外気導入孔２３２が設けられている。なお、該外気導入孔２３２にダンパーを設け、該床下空間４への外気の導入時にのみ該ダンパーが開くように構成してもよい。
【００８８】
前記第２の縦ダクト２３１は、本実施例においては図２１〜２２に示すように、現場施工で枠組みして形成した木製の角筒状ダクトを以て構成されており、その上端２３３は前記天井裏空間２２６で開放され、その下端部分２３５の側面部には開口２３６（図２２）が設けられている。そして該下端部分２３５には、該開口２３６を外側から覆うように、前記連結部材１３５と同様構成の連結部材２３７が取り付けられており、該連結部材２３７の外面で突設された２つの連結筒部２３９，２３９に、２本の吸込ダクト２４０，２４０の端部分が連結されている。該吸込ダクト２４０，２４０は、例えば、蛇腹状のフレキシブル樹脂管を以て構成されており、その外周面は断熱材で被覆されている。
【００８９】
前記第１の縦ダクト２２７は例えば、内径が１００〜２００ｍｍ（本実施例においては１５０ｍｍ）の円筒状の樹脂管を以て構成されており、図２１〜２２に示すように、前記第２の縦ダクト２３１内に上下方向に延長する如く収容されている。該第１の縦ダクト２２７の上端２４２は前記天井裏空間２２６で開放されると共に、その下端２４３（図２２）には延長管２４５が連設され、該延長管２４５の先側管部２４６は、図２２に示すように前記外周側の布基礎１６ａを貫通し、その外端２４７が、前記エアコン室外機２２９の背面２４９に設けられている吸込口２３０に連なるようになされている。本実施例においては、図２２に示すように、該エアコン室外機２２９は、４０ｃｍ程度の高さを有する架台２５０上に設置されているため、該外端２４７から排出された空気を前記吸込口２３０に円滑に吸い込ませることができるようにガイド部材２５１を用いている。該ガイド部材２５１は、図２２（Ｂ）に示すように、その下側部分が、該外端２４７に向けて開口するコ字状枠部２５２とされ、その上側部分は、該コ字状枠部２５２の対向する側片２５３，２５３のみが上方に延長されてガイド側片２５５，２５５とされ、該ガイド側片２５５，２５５の外面が前記背面２４９に略当接状態となされている。
【００９０】
かかる構成を有するガイド部材２５１は、例えば前記コ字状部２５２の底部２５６で、前記架台２５０にビス固定によって固定される。なお図２２（Ｂ）においては、両ガイド側片２５５，２５５の上端相互が覆い片２５７で連結されており、両ガイド側片２５５，２５５間を上昇する空気が前記吸込口２３０に確実に吸い込まれるようになされている。なお、図２２（Ｂ）に示すように、前記コ字状部２５２の底部２５６を、その下端２５６ａからその上端２５６ｂに向けて傾斜し且つ該上端２５６ｂが前記背面２４９に近接する傾斜面２６４として構成するときは、前記外端２４７から排出された空気を、図２２（Ｂ）に矢印で示すように該傾斜面２６４を上昇させて、前記吸込口２３０に、より円滑に吸い込ませることができて好ましい。
【００９１】
然して、図２２（Ａ）に示すように、前記先側管部２４６の外端２４７を前記コ字状部２５２の溝部２５８内に稍挿入状態にすると、前記エアコン室外機２２９の前記吸込口２３０における吸込み作用によって、図２２（Ａ）に示すように、前記天井裏空間２２６の空気の一部が前記第１の縦ダクト２２７と前記延長管２４５を介して前記吸込口２３０に速やかに吸い込まれることになる。なお、該天井裏空間２２６の空気は直接屋外に放出してもよいのであるが、本実施例においては、該空気の温度が、暖房時においては外気温よりも高いことに鑑み、該天井裏空間２２６の空気を前記吸込口２３０に吸い込ませてその保有熱を前記エアコン室外機２２９で回収することとし、全体としての熱効率の向上を図っている。
【００９２】
前記空調設備２２０は、前記蓄熱装置１の前記空気放出口１１から放出された空気を、建物２２４の前記内部空間２２５を通して上昇させ、建物の最上部の天井裏空間（本実施例においては二階の天井裏空間）２２６に流入させるものである。そのために本実施例においては、図２０〜２１、図２３に示すように、前記空気放出口１１から放出された空気と前記床下空間４に導入された外気との混合空気を、一階の屋内の壁体２５９を支持する土台７６を欠切状態にして形成した欠切状部２６０（図２０、図２３）を通して、該壁体２５９内に流入させ、該壁体２５９の上端側２６１で、一階の天井裏空間２６２に流入させる。そして、該一階の天井裏空間２６２内の空気を、梁２６３を欠切して形成した欠切状部２６５を通して二階の屋内の壁体２６６内に流入させ、該二階の壁体２６６の上端側２６７で、二階の天井裏空間２２６に流入させる。
【００９３】
本実施例においては図２０に示すように、前記一階の壁体２５９と前記二階の壁体２６６は共に、その内部に、上方に向けて空気を移動させる壁内通気路２６９，２７０が形成されている。そして該一階と二階の壁体２５９，２６６をその同一の側部（図２０における左側部）について見た場合、図２０（Ｄ）に示すように、一階の壁体２５９の下端面部２７１には、前記土台７６の上角部分を欠切状態にして形成した欠切状部２６０に連通する空気流入開口２７３が設けられている。これによって、前記床下空間４の空気を該欠切状部２６０を通して前記一階の壁体２５９の前記壁内通気路２６９に流入させることができる。又図２０（Ｃ）に示すように、二階の壁体２６６の下端面部２７５には、前記梁２６３の上角部分を欠切状態にして形成した欠切状部２６５に連通する空気流入開口２７７が設けられている。これによって、前記一階の天井裏空間２６２の空気を該欠切状部２６５を通して前記二階の壁体２６６の前記壁内通気路２７０に流入させることができる。
【００９４】
又、前記一階の壁体２５９の上端側２６１には、前記壁内通気路２６９を前記一階の天井裏空間２６２に連通させるための空気排出開口２７９（図２０（Ｃ）、図２３）が設けられており、又、前記二階の壁体２６６の上端側２６７には、前記壁内通気路２７０を前記二階の天井裏空間２２６に連通させるための空気排出開口２８０（図２０（Ｂ）、図２３）が設けられている。該空気排出開口２７９，２８０は、図２０においては、一側の壁面部２８１，２８１に設けられているが、該空気排出開口２７９，２８０が該一階の壁体２５９と該二階の壁体２６６の耐震性を阻害しない限り、これらを設ける部位や設け方に制約はない。
【００９５】
ここで、図１９〜２０に基づいて、建物２２４の内部空間２２５を通しての空気の流れ状態を説明する。前記床下空間４の空気は、前記欠切状部２６０を通して前記一階の壁体２５９の前記壁内通気路２６９に流入し、その後、前記空気流出開口２７９から一階の天井裏空間２６２に流入する。該一階の天井裏空間２６２の空気は、前記梁２６３に設けた前記欠切状部２６５を通して、前記二階の壁体２６６の前記壁内通気路２７０に流入し、その後、前記空気流出口２８０から前記二階の天井裏空間２２６に流入する。加えて、本実施例においては図１９に示すように、前記床下空間４の空気が、一階の例えば居室２８３の床部２８４に設けた空気流入口２８５を通して該居室２８３に流入し、この流入した空気が、該居室２８３の天井部２８６に設けた空気流出口２８７を通して一階の天井裏空間２６２に流入する。その後、該天井裏空間２６２の空気が、二階の例えば居室２８８の床部２８９に設けた空気流入口２９０を通して該居室２８８内に流入し、然る後、該居室２８８の天井部２９１に設けた空気流出口２９２を通して、二階の天井裏空間２２６に流入する。
【００９６】
本実施例においては図１９に示すように、前記一階の居室２８３及び前記二階の居室２８８について、前記床部２８４，２８９に設けた空気流入口２８５，２９０と、天井部２８６，２９１に設けた空気流出口２８７，２９２とが、居室の同一側ではなく対向側に位置をずらして設けられている。且つ、一階の天井部２８６の空気流出口２８７と二階の床部２８９の空気流入口２９０も、天井裏空間２６２において対向側に位置をずらして設けられている。これらによって、一階の居室２８３及び二階の居室２８８において、空気流入口２８５，２９０から空気流出口２８７，２９２に向う斜め方向の気流が生ずるため、該居室２８３，２８８をより効果的に温めることができる。又、空気流入口２８５，２９０と空気流出口２８７，２９２とがこのように位置をずらして設けられていることから、一階の居室の音が二階の居室に抜けにくくなる効果もある。
【００９７】
そして前記のように、二階の天井裏空間２２６の空気は、前記第１の縦ダクト２２７と前記第２の縦ダクト２３１に流入する。該第１の縦ダクト２２７に流入した空気は、前記のように、前記延長管２４５（図２２）を介して、前記エアコン室外機２２９の吸込口２３０に吸い込まれる。このように、天井裏空間２２６の空気の一部が前記エアコン室外機２２９を介して屋外に排出される結果、それに見合う量の外気が前記外気導入孔２３２を通して前記床下空間４に流入する。又、前記第２の縦ダクト２３１内に流入した前記二階の天井裏空間２２６の空気は、図４に示すように、前記吸込ダクト２４０，２４０を介して前記エアコン室内機９の吸込口２１９（図３）に吸い込まれ、前記吹出ダクト１４３，１４３を介して前記蓄熱槽３内に吹き出される。そして、該エアコン室内機９の吹出口１０から該蓄熱槽３内に温風が吹き出された場合は、前記蓄熱体６に温熱を蓄熱できる。一方、前記蓄熱体６が蓄熱状態において該蓄熱槽３内に常温の空気が吹き出された場合は、該空気は、該蓄熱体６が放出する熱を与えられて温風となって前記空気放出口１１から床下空間４に放出される。
【００９８】
このようにして床下空間４に放出された温風は、該床下空間に気流を生じさせるため、該温風を該床下空間４の広い範囲に拡散させることができる。そして、該温風と、前記外気導入孔２３２を通して該床下空間４に導入された新鮮な外気とは適宜混合される。混合された温風は、前記したように、前記土台７６の欠切状部２６０を通して前記一階の壁体２５９の前記壁内通気路２６９に流入する（図２０）。その後における温風の流れ状態は前記したところと同様であり、建物２２４内で空気の循環が生じ、建物は、新鮮な外気によって必要な換気が施される。そして、前記床下空間４の空気や前記壁内通気路２６９，２７０の空気、前記天井裏空間２６２，２２６の空気が夫々熱源になって部屋を温めることができる。
【００９９】
ここで、前記蓄熱装置１を温風発生装置として用いて建物２２４を暖房する場合における各部の温度を図１９に基づいて例示すれば次の通りである。エアコン室内機９の吹出口１０から吹き出される空気の温度が４０〜６０℃程度で、蓄熱体６の温度が２６〜５０℃程度、床下空間４の温度が２６〜５０℃程度、一階の居室２８３の温度が２０〜２４℃程度、一階の天井裏空間２６２の温度が２０〜２４℃程度、二階の居室２８８の温度が１８〜２２℃程度、二階の天井裏空間２２６の温度が１８〜２２℃程度である。
【０１００】
なお本実施例においては、前記蓄熱槽３を床下空間４で吊下するため、該蓄熱槽３の下端２５と該床下空間４の底部２３との間の下側空間部２９３（図２）を、配管や配線のために活用できる。従って、床下空間４において配管や配線を施す際、蓄熱槽３が障害となることなく、これを合理的に行い得る。又、このように下側空間部２９３が形成されるため、床下空間の底部側における空気の流れを円滑化できる。
【０１０１】
以上の説明においては、前記蓄熱体６が温熱を蓄熱して前記空気放出口１１から温風を放出する場合を説明したが、これとは逆に、前記エアコン室内機９の吹出口１０から冷風を吹き出させるときは、前記蓄熱槽３内の蓄熱体６を冷却でき該蓄熱体６に冷熱を蓄熱できることとなる。然して、前記エアコン室内機９を非稼働状態にして前記蓄熱槽３内に常温の空気を吹き出させるときは、該吹き出された空気が前記空気流路１５を通る際に前記蓄熱体６から冷熱を与えられて冷風となり、前記空気放出口１１から冷風が放出されることになる。これにより、前記と同様にして行われる建物内の空気循環によって建物を冷房できることとなる。この場合における各部の温度を例示すれば、エアコン室内機９の吹出口１０から吹き出される空気の温度が６〜１８℃程度で、蓄熱体６の温度が６〜２２℃程度、床下空間４の温度が６〜２２℃程度、一階の居室２８３の温度が２３〜２７℃程度、一階の天井裏空間２６２の温度が２３〜２７℃程度、二階の居室２８８の温度が２４〜２８℃程度、二階の天井裏空間２２６の温度が２４〜２８℃程度である。
【０１０２】
なお本実施例においては図３に示すように、前記居間７４から離れた位置にある寝室２９４の下側に存する区画空間部２９５に、別途のエアコン室内機２９６が補助的に設置されている。前記空気放出口１１から放出される温風や冷風だけでは床下空間４の空気の熱量が不足する場合等においてこれを稼働させることにより、床下空間４の空気を補助的に加温し又は冷却できる。例えば、夜間の蓄熱の際に前記空気放出口１１からの温風の放出量が少ない場合は、床下空間４への供給熱量の不足を補うために、該補助的なエアコン室内機２９６から温風を床下に吹き出させることがある。なお、図３に示されている符号２９７は、前記エアコン室内機と前記エアコン室外機とを連結する冷媒の導管である。
【実施例２】
【０１０３】
図２４は、蓄熱装置１の他の実施例を示すもので、蓄熱体６が納設される蓄熱槽３を床下空間４の底部２３上に設置した場合の一例であって、基本的には、前記吊下状態にある蓄熱槽３を該底部２３上に設置したものである。但し、前記中央の横架材（大引）２７ａを逃がすために設けられていた前記左右の側板３３，３５の前記嵌入凹部６０，６０が省略されている。前記蓄熱体６を構成する前記蓄熱板１５２の使用枚数が多い場合は、その重量の増大による前記吊下状態の不安定化を回避するために、かかる設置タイプを採用するのがよい。
【０１０４】
該蓄熱装置１には、大引１７ａを支持する束１９を逃がすための逃がし空間３６を形成する逃がし筒部４２が前記と同様にして設けられている。そして、前記蓄熱槽３の内部に納設される前記蓄熱体６の構成は前記と同様であり、水平板状を呈する蓄熱板部１４９を、水平状態に拡がる前記横方向空気流路１５０を相互間に形成するように所要間隔を置いて積層して構成されており、又、前記縦方向空気流路２１２も同様に形成されている。又前記と同様にして、空気放出口１１が設けられると共に、前記エアコン室内機９の吹出口１０が吹出ダクト１４３，１４３を介して前記蓄熱槽３の前部７に連設されている。なお前記底部２３は、発泡ポリウレタン樹脂の吹付け層の形成によって上面に凹凸があるため、例えば、２個の楔片を組み合わせて構成した高さ調整部材２９９を用いて前記蓄熱槽３の設置状態の高さ調整を行い、前記底板４６と同様構成の底板の上面に１／１００程度の水勾配を付けている。そして前記蓄熱体６の上端は、合板等からなる蓋板３００で閉蓋されている。
【０１０５】
かかる構成を有する蓄熱装置１においても前記と同様に空気流路１５が設けられており、各段の横方向空気流路１５０においては、空気反射部１３での空気の反射によって空気の循環が生じ、前記蓄熱体６の蓄熱が効果的に行われることとなる。又前記と同様にして、各空気放出口１１からの温風や冷風の放出を行わせることができる。
【実施例３】
【０１０６】
図２５〜２７は、内部に蓄熱体６が納設状態とされてなる蓄熱槽３を前記床下空間４の底部２３上に設置して構成された蓄熱装置１のその他の実施例を示すものであり、該蓄熱槽３は前記と同様にして、囲壁部２の上部２６と下部１１６が閉じた箱状を呈し、その内部には蓄熱体６が納設状態とされている。そして、該囲壁部２を構成する前の側面部３０１には前側の連通空間２０９が連設され、その前面部３０２（蓄熱槽３の前部７）には、エアコン室内機９の吹出口１０が直接的に連設されている。又、前記囲壁部２には、該蓄熱槽３内の空気を前記床下空間４に排出させる空気放出口１１が設けられている。該空気放出口１１は本実施例においては、前記囲壁部２の前の側面部３０１と左右の側面部３０５，３０６に設けられている。そして前記蓄熱槽３には、図２５に示すように、立設状態の束１９を逃がすための、例えば角筒状を呈する逃がし空間３６を形成する逃がし筒部４２が設けられている。
【０１０７】
前記蓄熱槽３は、本実施例においては図２５〜２６に示すように、例えば０．１５〜１ｍｍ厚さの塩化ビニール樹脂シート等の樹脂シート３０７を用いてなり、該樹脂シート３０７が、前記逃がし空間３６を形成して前記蓄熱体６の表面をカバーすることによって構成されている。図２６は、内部に蓄熱体６が納設され且つ前記逃がし空間３６が設けられてなる蓄熱体内蔵の蓄熱槽３ａを示している。
【０１０８】
該蓄熱体内蔵の蓄熱槽３ａを構成する要領をより具体的に説明すれば、図２５〜２６、図２７（Ａ）に示すように、前記底部２３を形成する前記吹付け層２２の上面に設置板３０９を載置する。該設置板３０９は、例えば２０ｍｍ程度の厚さを呈する合板の下面に適宜補強桟３１０（図２７（Ａ））を釘着して構成されている。この載置の際、例えば図２７（Ａ）に示すように、２個の楔片を組み合わせて構成した高さ調整部材２９９を用いて高さ調整を行い、該設置板３０９の上面３１１に１／１００程度の水勾配を付ける。
【０１０９】
その後、該上面３１１に前記樹脂シート３０７を敷く。該樹脂シート３０７の形状と大きさは、前記蓄熱体６の下面３１２と側面３１３と上面３１４を覆うことができ、且つ、前記逃がし空間３６の内周面３１５を形成できるように設定されている。樹脂シート３０７からなる該内周面３１５は前記逃がし筒部４２を構成する。そして本実施例においては図２６に示すように、前記囲壁部２の前の側面部３０１の右側部分と、左右の側面部３０５，３０６の後側部分に、前記空気放出口１１，１１，１１を形成するための例えば縦長の矩形状の開口３１６を設けると共に、前の側面部３０１の左側部分には、前記前側の連通空間２０９を形成するための例えば横長の矩形状の開口３１７を設ける。夫々の開口３１６，３１６，３１６，３１７には矩形状の枠体３１９，３１９，３１９，３２０が取り付けられるのであるが、そのために、夫々の開口の縁部分には、図２５に示すように、該矩形状の枠体３１９，３１９，３１９，３２０の外周面３２１を覆って該枠体３１９，３２１に固定される固定片３２２を設ける。なお、これらの矩形状の枠体の肉厚は３０ｍｍ程度に設定されると共に、その突出量は１００ｍｍ程度に設定されている。
【０１１０】
前記蓄熱体６は、実施例１で説明したところと同様に、図２６（Ｂ）に示す如く、蓄熱板支持部材１５３を用いて前記蓄熱板１５２を敷き並べ且つ該蓄熱板１５２を積層することにより構成する。このようにして構成された蓄熱体６には、前記と同様にして横方向空気流路１５０が多段に設けられると共に、前記と同様に縦方向空気流路２１２が設けられる。そして図２６（Ｂ）に示すように、前記樹脂シート３０７の上面３２５に設置された座片３２６（本実施例においては前記蓄熱板支持部材１５３の前記台座片１６７）上で最下段の蓄熱板部１４９を形成することによって、前記と同様の結露水排水路１７７が該蓄熱体６の下端下方に形成される。
【０１１１】
その後、前記蓄熱体６を前記樹脂シート３０７でカバーする。これによって、図２５に示すように、蓄熱槽３の内部に蓄熱体６が納設された状態が得られる。
【０１１２】
その後、該蓄熱槽３の前の側面部３０１と後側の左右の側面部３０５，３０６に、前記蓄熱体６の前記横方向空気流路１５０に連通する混合空間２１１を形成するための矩形状の枠体３１９を固定すると共に、前の側面部３０１には、前記前側の連通空間（前後幅は１００ｍｍ程度）２０９を形成するための矩形状の枠体３２０を固定する。なお、該矩形状の枠体３１９，３１９，３１９，３２０の外周面３２１には、前記樹脂シート３０７と同一素材の樹脂シートを予め貼着しておき、前記固定片３２２を該貼着樹脂シートに、例えば防水型の接着剤で接着することとすれば、該固定片３２２の接着を容易且つ確実に行うことができて好ましい。なお、該接着に代えて溶着してもよい。
【０１１３】
図２５においては、前記矩形状の枠体３１９の開放端が前記空気放出口１１を形成するので、該矩形状の枠体３１９の外端面の上縁部分３２９に、該空気放出口１１を開閉するための開閉蓋３３０が取り付けられている。該開閉蓋３３０は、例えば、１ｍｍ程度の厚さを有する塩化ビニル樹脂製の板体を用いて構成されており、その上端縁３３１の両側が、前記上縁部分３２９の左右に蝶番３３２，３３２（図２５（Ｂ））を介して取り付けられている。該開閉蓋３３０は、図２５（Ｂ）に示すように上向きに傾動して前記空気放出口１１を開放させる一方、図２５（Ａ）に示すように、垂下状態で該空気放出口１１を閉じる。該開閉蓋３３０は、本実施例においては、前記エアコン室内機９の吹出口１０（図２７）から前記蓄熱槽３内に吹き出された空気の風圧によって開くようになされている。該開閉蓋３３０をどの程度の角度で開かせるかは、前記蓄熱槽３内に吹き出させる空気の単位時間当りの吹出量を考慮して該開閉蓋３３０の自重を所要に設定することによって決めることができる。
【０１１４】
ここで、該開閉蓋３３０の作用を説明する。夜間において前記蓄熱体６に蓄熱している間は、該開閉蓋３３０の自重を所要に設定しておくことによって、開き角度を小さくして蓄熱を促進させ得る。一方、昼間において温風の放出を積極的に行わせる場合は、後述の送風ファン２４０（図２９）も稼働させることによって、該温風の放出を促進させ得る。或いは、該送風ファン２４０が設けられておらず、又、前記空気放出口１１に空気放出用のファンが付設されていなくても、前記エアコン室内機９の非稼働時における送風量を該エアコン室内機９に設けられているファンの回転によって増大させることができれば、前記空気放出口１１からの温風の吹き出しを促進させ得る。このように、所要自重の開閉蓋３３０を設けることにより、前記空気放出口１１から放出される空気量を加減できることとなる。
【０１１５】
なお昼間において、前記エアコン室内機９や前記送風ファン２４０を稼働させない場合は、前記開閉蓋３３０が自重で閉じた状態となるため、前記蓄熱槽３からの熱の放出を抑制できる。このように閉じた状態にすれば、例えば外出中等、日中における不用時の放熱を極力抑制できて好ましい。
【０１１６】
そして前記前側の連通空間２０９は、前記吹出口１０から吹き出された空気を分散させて、該空気を、前記の各横方向空気流路１５０にその前端２１０（図２６（Ｂ）、図２７（Ｂ））から流入させる機能を有する。このようにして該横方向空気流路１５０に流入した空気は、前記前側の空気流路２０９と前後対向状態にある前記空気反射部１３で反射されて方向転換され、図２８に矢印で示すように、前記横方向空気流路１５０で、平面視で循環するようになされている。この空気の移動は、前記逃がし空間３６と前記囲壁部２との間に形成されている移動流路３８で行われる。このとき、前記吹出口１０から吹き出されて後方に移動する空気は、図２８に鎖線で示すように、前記逃がし空間３６を形成する前記逃がし筒部４２と左の側面部３０５との間の移動流路３８に誘導されて、正しく後方に移動する。本実施例においては、該逃がし筒部４２は、前記束１９を逃がすための逃がし空間３６を形成するだけでなく、空気を後方に移動させる際のガイドとしての役割も果たしている。又、前記空気放出口１１を形成する前記矩形状の枠体３１９の内側の空間としての混合空間（図２５においては、その左右幅Ｌ１０とその前後幅Ｌ１１が６０〜１５０ｍｍに、本実施例においては共に１００ｍｍ程度に設定されている）２１１は、空気放出の際に、複数段の前記横方向空気流路１５０から流出した空気を混合させて該混合空間２１１内の空気の温度を均一化させる機能も果たす。
【０１１７】
次に、かかる構成を有する床下蓄熱装置１を用いて構成された建物の空調設備２２０を説明する。該床下蓄熱装置１は、本実施例においては図２７〜２９に示すように、例えば二階建て住宅の空調設備として応用されており、該床下蓄熱装置１は、床下空間４の内の居間７４の下側をなす区画空間部４ａにおいて、大引１７を横切るように配設されている。
【０１１８】
本実施例においては、前記３個の空気放出口１１，１１，１１の一つは該区画空間部４ａ内で空気を放出するように設けられているが、他の二つは夫々、前記居間７４に隣り合う部屋の下側をなす区画空間部４ｂ，４ｃに空気を放出するように、布基礎１６の途切れた部分２２２に向けて設けられている。然して、前記空気放出口１１，１１，１１からの温風又は冷風（以下、温風に代表させて説明する）の放出によって、図２８に矢印で示すように、複数の区画空間部に向けて温風を放出させることができる。該温風の放出量は、前記開閉蓋３３０（図２５）の開き角度の所要の設定によって調節できる。
【０１１９】
前記空気放出口１１，１１，１１から床下空間４に放出された温風は、本実施例においては図２９に示すように、建物２２４の内部空間２２５を通して上昇され、二階の天井裏空間２２６に流入されるようになされている。そして、該二階の天井裏空間２２６の空気の一部が第１の縦ダクト２２７を介して、屋外に設置されたエアコン室外機２２９の吸込口２３０に流入される一方、該天井裏空間２２６の残余の空気が第２の縦ダクト２３１を介して前記エアコン室内機９の吸込口２１９（図２５）に流入される如くなされている。
【０１２０】
前記第１、第２の縦ダクト２２７，２３１は、本実施例においては図２９に示すように、現場施工で枠組みして形成した木製の角筒状ダクト３３５を以て構成されており、その上端３３６は、二階の前記天井裏空間２２６で開放されている。そして、該角筒状ダクト３３５の内部が仕切板３３７で２分割され、その一方が前記第１の縦ダクト２２７とされ、その他方が前記第２の縦ダクト２３１とされている。又図２９、図２５に示すように、該第２の縦ダクト２３１の下端側部分２３９と前記エアコン室内機９の吸込口２１９とを連結する吸込ダクト２４０を、例えば、木製の角筒状部材を用いて構成している。又、該吸込ダクト２４０の、前記第２の縦ダクト２３１の下端に近い側に送風ファン２４４を介装し、該送風ファン２４４の回転によって、建物の最上部に位置する天井裏空間（本実施例においては二階の天井裏空間）２２６の空気を前記エアコン室内機９に円滑に供給できるようになされている。なお、該送風ファン２４４を設ける場合は、前記空気放出口１１に設ける前記空気放出用のファンは省略してよい。
【０１２１】
又、前記第１の縦ダクト２２７に流入した空気は、その下端部分３４１とエアコン室外機２２９の前記吸込口２３０とを連結する延長管２４５を介して、該エアコン室外機２２９の吸込口２３０に吸い込まれる。即ち、屋外に排気される。本実施例においては、該延長管２４５の端部分は、図２９（Ｂ）に示すように、エルボを用いて構成された屈曲管部３４５として構成され、該屈曲管部３４５の開放端３４６をエアコン室外機２２９の吸込口２３０に向かわせている。そして、外周側の布基礎１６ａには、この排気量に見合う量の外気を床下空間４に導入させるための外気導入孔２３２（図２８）が設けられている。
【０１２２】
前記空調設備２２０にあっては、前記エアコン室内機９と前記エアコン室外機２２９を稼動させると、前記床下蓄熱装置１の前記空気放出口１１から床下空間４に放出された空気が、該床下空間４に導入された外気と適宜混合され、図２９に示し、又図２０に示すと同様にして、前記土台７６に設けた欠切状部２６０を通して前記一階の壁体２５９の前記壁内通気路２６９に流入し、その後、前記空気排出開口２７９から一階の天井裏空間２６２に流入する。該一階の天井裏空間２６２の空気は、前記梁２６３に設けた前記欠切状部２６５を通して、前記二階の壁体２６６の前記壁内通気路２７０に流入し、その後、前記空気排出開口２８０から前記二階の天井裏空間２２６に流入する。加えて、図１９に示すと同様にして、前記床下空間４の空気が、一階の例えば居室２８３の床部２８４に設けた空気流入口２８５を通して該居室２８３に流入し、この流入した空気が、該居室の天井部２８６に設けた空気流出口２８７を通して一階の天井裏空間２６２に流入し、その後、該天井裏空間２６２の空気が、二階の例えば居室２８８の床部２８９に設けた空気流入口２９０を通して該居室２８８内に流入し、然る後、該居室２８８の天井部２９１に設けた空気流出口２９２を通して、二階の天井裏空間２２６に流入する。
【０１２３】
そして前記のように、二階の天井裏空間２２６の空気は、前記第１の縦ダクト２２７（図２９）と前記第２の縦ダクト２３１（図２９）に流入する。該第１の縦ダクト２２７に流入した空気は、前記延長管２４５を介して、前記したように前記エアコン室外機２２９の吸込口２３０に吸い込まれる。又、前記第２の縦ダクト２３１に流入した空気は、前記吸込ダクト２４０を介して前記エアコン室内機９の吸込口２１９に吸い込まれ、前記蓄熱槽３内に吹き出される（図２８）。そして前記蓄熱槽３の空気放出口１１からは、前記蓄熱体６の放熱する熱を与えられて、導入時には常温であった風が温風となって床下空間１４に放出される。このように放出された温風は、前記外気導入孔２３２からの導入外気と適宜混合されて、建物２２４内で循環し、新鮮な外気で建物が換気がされつつ、前記壁体２５９，２６６や床部、天井部からの室内への熱の放出によって、室内が暖房される。又、前記蓄熱槽３の上側に存する床部及びその周辺の床部は、該蓄熱槽３からの放熱によっても暖房される。
【０１２４】
然して、夜間電力時間帯に前記エアコン室内機９を稼働させると前記蓄熱体６に蓄熱できる。この蓄熱状態においては、前記送風ファン２４４は停止状態にしておくのがよい。そして昼間における、前記蓄熱体６の蓄熱の放熱時において、前記エアコン室内機９を常温での送風状態にすると共に前記送風ファン２４４を稼働状態にすることにより、前記空気放出口１１からの温風の放出を促進させることができる。
【実施例４】
【０１２５】
本発明は、前記実施例で示したものに限定されるものでは決してなく、「特許請求の範囲」の記載内で種々の設計変更が可能であることはいうまでもない。その一例を挙げれば次のようである。
【０１２６】
(1) 前記蓄熱槽３は、ＡＢＳ樹脂や塩化ビニル樹脂等の樹脂素材を以て、或いは、断熱材で被覆されてなる鉄板等の金属板を以て構成することもできる。
【０１２７】
(2) 前記蓄熱体６は、前記のような平板状の蓄熱板１５２を用いて構成できる他、円柱状や角柱状等を呈する蓄熱材を用いて構成することもできる。
【０１２８】
(3) 前記蓄熱体６には、前記横方向空気流路１５０や前記縦方向空気流路２１２等としての空気流路１５が設けられている。そのため、夜間電力時間帯におけるエアコン室内機９の稼働によって長時間に亘って前記蓄熱体６の蓄熱を行う場合は、該空気流路１５における空気の流れによって、前記吹出口１０から前記蓄熱槽３内に吹き出された空気（温風又は冷風）の保有熱を該蓄熱体６に所要に蓄熱させることが可能である。かかる場合は、例えば図３０に示すように、前記前側の連通空間２０９を省略することもできる。
【０１２９】
(4) 前記蓄熱体６は、前記実施例においては、潜熱蓄熱材を封入してなる蓄熱板１５２を水平方向と上下方向に並設することにより構成されているが、その他、各種の顕熱蓄熱材を用いて構成することも可能である。
【０１３０】
(5) 図３１は、前記蓄熱板１５２を前記蓄熱槽３内に納設する際における現場施工の能率化のために用いられる積層蓄熱体３４７の一例を示すものである。積層蓄熱体３４７は図３１においては、複数枚、例えば１２枚の蓄熱板１５２を、４本の屈曲型の蓄熱板支持部材１５３を用いて多段に積層して構成されている。
【０１３１】
図３２は、該蓄熱板支持部材１５３の一例を示すものであり、例えば厚さが１ｍｍで幅が２０ｍｍであるアルミニウム製等の金属製の帯板を下端から上端に向けてコ字状に順次屈曲して形成されている。該蓄熱板支持部材１５３は、図３２（Ｂ）に示すように、前記蓄熱板１５２の縁部分３５１を密接状態に挿入させ得る上下のコ字状の挿入溝部３５２，３５２の上下対向する縁部３５３，３５３相互が、上下方向の幅が１５ｍｍである連結片３５５を介して連結されている。そして、上下隣り合う該挿入溝部３５２，３５２を構成する対向する上下の片３５６，３５７と該間隔保持片３５５とが、上下の蓄熱板１５２，１５２間に介在される間隔保持片１６８を構成している。本実施例においては、該間隔保持片１６８は１１段に亘って設けられており、最上段の間隔保持片１６８ａの上片３６０の先端縁部には、前記蓄熱板１５２の側面３６１と当接し得る側面当接片３６２が連設されている。なお、屈曲状態とされた前記蓄熱板支持部材１５３は樹脂製とされてもよい。
【０１３２】
かかる構成を有する４本の蓄熱板支持部材１５３，１５３，１５３，１５３の夫々に、図３２（Ｂ）に示すように前記蓄熱板１５２の縁部分３５１、例えばコーナ部分１５９を挿入すると、前記間隔保持片１６８を構成する前記連結片３５５の上下幅に相当する間隔を置いて蓄熱板１５２が積層されることになる。このようにして１２枚の蓄熱板１５２を積層した後、該蓄熱板１５２の両側（図３１においては長さ方向の両側）において、全体を結束材３６３で結束する。本実施例においては、例えば５〜２０ｍｍ程度の幅を有する（例えば１０ｍｍ程度の幅を有する）防水性粘着テープを結束材３６３として用い、該防水性粘着テープを該積層された蓄熱体３４７ａの全体に、上下方向で見て周方向で巻き付けることにより、図３１に示すような、上下の蓄熱板１５２，１５２間の中央部分に間隔保持片１６８が配置されてなり且つ全体が一体化した積層蓄熱体３４７を構成できる。これにより、該上下の蓄熱板１５２，１５２間に、前記横方向空気流路１５０の間隙Ｇ１に等しい通気間隙３７２が形成されている。なお該結束材３６３は、紐状を呈するものや金属バンド等であってもよい。該結束材３６３は、前記横方向空気流路１５０における空気の流れを阻害しないように、その幅寸法が設定される。図３２（Ｂ）は、前記蓄熱槽３の底面３７１に座片３６４を載置し、該座片３６４上に前記積層蓄熱体３４７を設置することによって、前記蓄熱体６の下端下方に結露水排水路１７７を構成した状態を示している。
【０１３３】
かかる蓄熱板支持部材１５３を用いる場合、例えば図３３に示すように、最下段の前記挿入溝部３５２を構成する下の片３５７の先端縁３６５で座片部３６６を屈曲形成するのがよい。該座片部３６６は、該先端縁３６５で垂下された垂下片３６７の下端縁３６９で、外向きに水平片３７０を屈曲して構成されており、該座片部３６６の高さは例えば１５ｍｍに設定されている。このように座片部３６６を設ける場合は、図３３（Ｂ）に示すように、前記積層蓄熱体３４７を前記蓄熱槽３の底面３７１に設置するだけで、該蓄熱体６の下端下方に前記結露水排水路１７７を形成できることとなる。
【０１３４】
図３４は、前記蓄熱槽３の内部５に蓄熱体６を納設状態とするに際し、前記構成を有する積層蓄熱体３４７を該蓄熱槽３内に収容した状態を示している。この収容に際しては、図３５に示すように、該蓄熱積層体３４７を、上下の蓄熱板１５２，１５２間に形成されている前記通気間隙３７２の端部２７３，２７３相互を連通させて、前後方向と左右方向に敷き並べる。これにより、図３４に示すように、水平板状を呈する蓄熱板部１４９が相互間に１５ｍｍ程度の間隔を置いて積層されてなる前記蓄熱体６が構成されることになる。
【０１３５】
かかる構成の積層蓄熱体３４７を用いて、蓄熱槽３の内部５に蓄熱体６が納設された状態とするときは、個々の蓄熱板１５２を蓄熱板支持部材１５３を介して積層することによって蓄熱体６を構成する場合に比し、現場施工の能率化を期し得ることとなる。
【０１３６】
図３６は、前記積層蓄熱体３４７の他の態様を示すものである。該積層蓄熱体３４７は、上下の蓄熱板１５２，１５２間の四つのコーナ部分や中央部分等の所要部位に、例えば円板状や正方形板状等を呈する独立した蓄熱板支持部材１５３（前記間隔保持片１６８でもある）が介在されることによって、該蓄熱板１５２が所要段数に（例えば１２段に）積層されると共に、前記と同様にして、全体が、積層方向で一体化されている。本実施例においては図３６に示すように、積層された蓄熱板１５２の全体に防水性粘着テープ等の結束材３６３が上下方向で見て周方向に巻き付けられることによって、積層方向で全体が一体化されている。
【０１３７】
図３７は、蓄熱板１５２の表裏の中央部分が対向状態で窪んでいる場合における積層蓄熱体３４７を示すものであり、上下の蓄熱板１５２，１５２間の四つのコーナ部分と中央部分に、蓄熱板支持部材１５３（間隔保持片１６８でもある）が介在されている。該中央の間隔保持片１６８は、円柱状や角柱状等の柱状を呈し、その上下端部分３７６，３７６が上下の窪み部３７５，３７５に嵌め入れられている。これによって、前記横方向空気流路１５０の上下幅に等しい通気間隙３７２が上下の蓄熱板１５２，１５２間に形成されてなる積層蓄熱体３４７が構成されている。このように構成する場合は、該蓄熱板支持部材１５３が該上下の窪み部３７５，３７５に拘束されるため、積層されている蓄熱板が横ずれする恐れがなく、又、該蓄熱板支持部材１５３の支持作用によって蓄熱板１５２の中央部分を撓みにくくなし得、積層蓄熱体３４７をより安定的に構成できることとなる。
【０１３８】
(6) 図３８は、比較的少ない枚数の蓄熱板１５２を積層した場合を示すものであり、同図においては、蓄熱板１５２の６枚を、前記と同様の構成によって所要間隔を置いて積層し且つ全体を一体化して積層蓄熱体３４７を構成した場合が示されている。かかる構成の積層蓄熱体３４７を、図３５に示すと同様にして、その通気間隙３７２相互を連通させて前後方向と左右方向に敷き並べることにより前記蓄熱体６を構成できる。又、図３８（Ｂ）に示すように、例えば円板状を呈する前記蓄熱板支持部材１５３（間隔保持片１６８）（図３７（Ａ））を前記蓄熱板１５２のコーナ部分や中央部分に介在させて、該積層蓄熱体３４７，３４７相互を図３８（Ｂ）に示すように積重することにより、蓄熱板１５２の所要枚数を積層できる。又、このように比較的少ない枚数の蓄熱板１５２を用いて積層蓄熱体３４７を構成する場合、例えば図３８（Ｃ）に示すように、該積層蓄熱体３４７上に、独立した所要枚数の蓄熱板１５２を、上下の蓄熱板間に前記間隔保持片１６８を介在させて積層することにより、該蓄熱板１５２を所要段数に積層できることとなる。かかることから、例えば前記した空気放出部１１側に前記混合空所２１１を形成する場合、その施工を簡易に行うことができる。
【０１３９】
(7）前記積層蓄熱体３４７をその積層方向で一体化させる結束材３６３として前記防水性粘着テープを用いる場合、例えば図３９に示すように、左右独立したテープ片３６３ａの上下の端部分３４４，３４４を、積層された蓄熱体３４７ａの上面３４０と下面３４８に貼着してもよい。要は、積層された蓄熱体３４７ａの全体を一体化できればよい。
【０１４０】
(8) 図４０〜４１は、前記蓄熱体６を前記蓄熱槽３の内部５に納設するに際し、水平板状を呈する蓄熱板部１４９を、相互間に、水平状態に拡がる前記横方向空気流路１５０を形成するように所要間隔を置いて積層する場合の他の構成を示すものである。
【０１４１】
前記囲壁部２の対向する内面３７７，３７７に、図４０、図４１（Ａ）に示すように、例えば１５ｍｍ程度の上下方向厚さを有する水平な支持材３７９が所要間隔（例えば２０ｍｍ程度の間隔）を置いて多段に固定され、上下の支持材３７９，３７９間に支持溝３８０が形成されている。そして、図４０〜４１に示すような断面Ｌ字状を呈する棒状支持杆３８１ａ、又は図４２（Ａ）に示すような断面Ｔ字状を呈する棒状支持杆３８１ｂの両端部分３８２，３８２を、対向する該支持溝３８０，３８０に挿入させることによって、該棒状支持杆３８１ａ，３８１ｂは水平状態に支持される。該棒状支持杆３８１ａ，３８１ｂは、例えば、アルミニウム製や鉄製等の金属製或いは合成樹脂製のものである。図４１（Ｂ）は、断面Ｌ字状を呈する２本の棒状支持杆３８１ａ，３８１ａで前記蓄熱板１５２の両端部分３８３，３８３を支持して構成された前記蓄熱板部１４９の一部分を示すものであり、図４２は、断面Ｔ字状を呈する２本の棒状支持杆３８１ｂで蓄熱板１５２の両端部分３８３，３８３を支持して構成された前記蓄熱板部１４９の一部分を示すものである。各蓄熱板１５２は、その両端部分３８３，３８３が、図４１（Ｂ）（Ｃ）、図４２（Ａ）（Ｂ）に示すように、隣り合う該棒状支持杆３８１ａ，３８１ｂの向き合う水平支持片３８５，３８５で下方から支持されている。
【０１４２】
前記棒状支持部材３８１ａ，３８１ｂを金属製とした場合は、これらが前記横方向空気流路１５０や前記縦方向空気流路２１２を流れる温風や冷風によって加熱され或いは冷却されたとき、その保有熱が前記蓄熱板１５２の底面や側面に熱伝導されるため、蓄熱効率の向上を期し得る。又、該棒状支持部材３８１ａ，３８１ｂが、前記蓄熱体６の保有熱を放出させるための放熱用のフインとしても機能し得るため、前記蓄熱体６の保有熱の放出効率を増大させることともなる。なお、蓄熱板１５２を安定的に支持できると共に錆びにくく、軽量で、しかも熱伝導を効率的に行うことのできる棒状支持杆としてはアルミニウム製のものが好ましい。その肉厚は、例えば１ｍｍ程度に設定するのがよい。
【０１４３】
(9) 図４３は、水平状態を呈する前記蓄熱板部１４９の他の態様を示すものであり、該蓄熱板部１４９は、水平状態に張設され且つ下方から適宜支持されてなる金網状の支持部材３８６上に、可撓性を有する袋部内に例えば潜熱蓄熱材等の蓄熱材を封入してなる蓄熱袋３８７を敷き並べて構成されている。そして、上下の蓄熱板部１４９，１４９間に、前記横方向空気流路１５０が形成されている。前記蓄熱板部１４９において、隣り合う蓄熱袋３８７，３８７の端部分３８９，３８９は、例えば図４３（Ａ）に示すように重ね合わせられる。或いは図４３（Ｂ）に示すように、該端部分３８９，３８９が若干離され、該端部分間に隙間３９０が形成される。該隙間３９０は、空気を上下方向で流すための前記縦方向空気流路２１２を形成できる。そして、このように蓄熱袋３８７を該金網状の支持部材３８６上に敷き並べる場合は、前記横方向空気流路１５０や前記縦方向空気流路２１２を流れる空気の保有熱が該支持部材３８６に伝達され、該支持部材３８６の保有熱が該蓄熱袋３８７に伝達されるため、蓄熱材の蓄熱効率が向上される。
【０１４４】
(10)前記蓄熱板１５２の多数枚を用いて前記蓄熱体６を構成する場合、該蓄熱体６が所要の蓄熱量を確保できるものであれば、前後方向や左右方向で隣り合う蓄熱板相互間に隙間が設けられてもよい。これらの隙間は、上下の前記横方向空気流路１５０，１５０相互を連通させる前記縦方向空気流路２１２を構成できることとなる。
【０１４５】
(11)図４４（Ａ）（Ｂ）は、前記吹出口１０から前記蓄熱槽３内に吹き出されて後方に移動した空気を、前記空気反射部１３において方向転換させる他の態様を示すものであり、前記エアコン室内機９の吹出口１０が、前記蓄熱槽３の前部７の左右方向の中央部分に連設されている。図４４（Ａ）は、前記逃がし筒部４２が設けられていない場合に関するものであり、図４４（Ｂ）は、隣り合う２本の大引１７，１７を夫々支持する束１９を逃がすための２つの逃がし筒部４２，４２が設けられた場合に関するものである。これらにおける方向転換にあっては、該吹出口１０から該蓄熱槽３内に吹き出されて後方に移動した空気が、該蓄熱槽３の後部の左右方向の中央部分としての空気反射部１３で反射されることによって、前記蓄熱槽３の左側の領域３９１と右側の領域３９２の夫々で空気の循環を生じさせることができる。
【０１４６】
(12)本発明において、前記空気反射部１３で空気を反射させるとは、前記エアコン室内機９の吹出口１０から蓄熱槽３内に吹き出されて後方に移動した空気を素通りさせないで、該蓄熱槽３内で方向転換させることを意味する。この方向転換は、水平面内や垂直面内における方向転換の他、斜め上方や斜め下方等の色々な方向に向けての方向転換を含むものである。この方向転換によって、空気の保有熱を、蓄熱体６の蓄熱のためにより効率的に利用できることとなる。
【０１４７】
(13)前記蓄熱槽３に設けられる前記空気放出口１１には、前記したファンや開閉弁が設けられないこともある。この場合は、該空気放出口１１は常時、開放状態とされる。
【０１４８】
(14)前記空気放出口１１を開閉蓋で開閉させる場合、この開閉は電動で行うこともできる、この場合は、目的に合わせてその開き角度を所要に設定するのが容易となる。
【０１４９】
(15)本発明において、「前記床下蓄熱装置１の前記空気放出口１１から放出された空気を、建物の内部空間２２５を通して上昇させる」とは、前記壁内通気路２６９，２７０を通しての上昇や、前記空気流入口２８５，２９０や空気流出口２８７，２９２を通しての上昇の他、建物の内部に設けた適宜の空間を通して上昇させることを意味する。
【０１５０】
(16)図４５は、前記蓄熱体６の後端３９３と前記蓄熱槽３の内部の後部３９５との間に後側の連通空間３９６を設けた場合を示している。この場合は、前記の各横方向空気流路１５０の夫々の後端３９７から出た空気が該後側の連通空間３９６で混合状態となり、この混合状態となった空気が前記空気反射部１３で反射して方向転換される。これによって、蓄熱体の全体をより均一状態に加熱しやすくなる。
【０１５１】
(17)前記エアコン室内機９は、前記のように床下空間４の底部２３上に設置することの他、例えば図４６に示すように、吊下用ボルト３９９や吊下金具４００等を用いて、大引等の床下の横架材２７に吊下状態としてもよい。
【０１５２】
(18)前記エアコン室内機９の前記吸込口２１９に供給される空気は、前記した天井裏空間２２６，２６２の空気や床下空間４の空気、屋外から床下空間４に導入された外気、建物の室内の空気等であってよい。
【０１５３】
(19)本発明に係る建物の空調設備２２０を構成するに際し、外気を床下空間４に導入する手段としては、前記のように、外気を流入させる外気導入孔２３２を布基礎１６に設けることの他、該外気導入孔２３２を通して床下空間４に導いた外気を、導管を介して前記エアコン室内機９の吸込口２１９に吸い込ませることもある。又、屋内への外気の導入は、前記床下空間４の他、建物の居室等に対してであってもよい。
【０１５４】
(20)前記エアコン室内機９の吹出口１０を前記蓄熱槽３の前部７に連設するに際し、必要な空気量を該蓄熱槽３内に吹き出させることができるものであれば、図３において前記吹出しダクト１４３は１本でもよく、その本数は問わない。
【０１５５】
(21)建物の最上部に位置する天井裏空間２２６の空気の一部を前記エアコン室外機２２９の吸込口２３０に吸い込ませると共に、該天井裏空間の残余の空気を前記エアコン室内機９の吸込口２１９に吸い込ませる如く構成する場合、該天井裏空間２２６の空気を吸引するダクトを１本のダクトのみを以て構成し、該ダクトに吸引された空気を、その一部を前記エアコン室外機２２９の吸込口２３０に吸い込ませる一方、残余の空気を前記エアコン室内機９の吸込口２１９に吸い込ませるように構成することもある。この場合は、エアコン室外機２２９とエアコン室内機９の夫々に必要量の空気を送り込めるように、夫々の吸引力を調整する。
【０１５６】
又前記第１、第２の縦ダクト２２７，２３１は、市販の２本のパイプを用いて構成し、一方のパイプを前記エアコン室外機２２９の吸込口２３０に連結し、他方のパイプを前記エアコン室内機９の吸込口２１９に連結することとしてもよい。
【０１５７】
(22)前記実施例においては、最上部に位置する天井裏空間２２６の空気の一部を前記エアコン室内機９の吸込口２１９に吸い込ませる如く構成しているが、天井裏空間は、最上部に位置する天井裏空間（例えば二階の天井裏空間２２６）であることの他、それよりも下の天井裏空間（例えば一階の天井裏空間２６２）であってもよい。この場合、どの天井裏空間を利用するかは、夫々の天井裏空間に連通状態にあるダクトの流入口を弁体の開閉操作によって選択的に開放させて行うことができる。
【０１５８】
建物の全体に亘る換気や暖冷房を行わせる上からは、建物の全体に亘る空気循環が好ましいと言える。そのため、最上部に位置する天井裏空間の空気の一部を前記エアコン室外機２２９や前記エアコン室内機９に導入するのが好ましいのであるが、例えば二階の部屋の暖房や冷房が一定期間に亘って不用の場合は、該最上部に位置する天井裏空間への空気の流入を遮断すると共に、それよりも下に位置する天井裏空間に空気を導入させることにしてもよい。
【０１５９】
(23)建物の最上部に位置する天井裏空間（例えば二階の天井裏空間２２６）は、小屋裏空間４０１（図１９〜２０）として構成されることもある。この場合は、該小屋裏空間４０１の内面に発泡ポリウレタン樹脂等の発泡性樹脂を吹き付ける等してその内面の断熱性を向上させるのがよい。
【０１６０】
(24)前記蓄熱槽３を、その下端が前記床下空間４の底部２３から浮き上がった状態で該床下空間４で吊下させる場合、該蓄熱槽３の吊下手段は、前記実施例で説明したように、前記囲壁部２の上端側２６を横架材２７に釘着等により直接固定する手段の他、吊りボルトや吊り金具等の吊下具を介して該横架材２７等に吊下する手段等を含む。
【０１６１】
そして、このように蓄熱槽３を床下空間４で吊下する場合、該蓄熱槽３の上部２９が床部３０で閉じられた状態とされるが、この際、該蓄熱槽３内に納設されている蓄熱体６からの床部３０への放熱量を減少させてもよい場合は、例えば図２４に示すと同様にして、該蓄熱槽３の上部２９が蓋板３９４で覆われることもある。この場合は、例えば図４７に示すように、前記側板３１，３２，３７，３９の上端を、前記横架材２７ａ，２７ｂ，２７ｃの上面８２，８３，８５から同距離（例えば４０ｍｍ程度）下方に位置させることもある。この蓋板３９４は、該床部３０への所要放熱量を考慮して、該上部２９の全体を覆う場合もあれば、部分的に覆う場合もある。
【０１６２】
(25)前記蓄熱槽３を前記床下空間４で吊下する場合、前記横架材２７として前記支持棒材７７は用いず、該横架材２７の全てを、大引１７を以て構成し、或いは、大引１７と土台７６とを以て構成することもできる。図４８はその一例を示すものであり、横架材２７の全てを大引１７を以て構成した場合を示している。
【０１６３】
(26)前記実施例においては、前記蓄熱槽３を、大引１７を横切って床下空間４に配設しているが、布基礎１６や大引１７、土台７６等の配置状態によって該床下空間４にまとまった広い空間を確保できる場合は、前記蓄熱槽３を、大引１７を横切ることなく配設することもできる。
【０１６４】
(27)図４９〜５０は、前記と同様構成の蓄熱板１５２を蓄熱板支持部材１５３を用いて積層する場合の他の態様を示すものである。該蓄熱板支持部材１５３は、図５０（Ａ）に示すように、例えば、平面視で一辺が４０ｍｍの正方形状を呈し且つ厚さが１５ｍｍである正方形板状の間隔保持用の台座片１６７の上面部の中央部位に、平面視で一辺が１８ｍｍの正方形状を呈し且つ高さが２０ｍｍである位置規制用の角柱状の柱状片１７０が突設されてなる該台座片１６７と該柱状片１７０の軸線は合致している。図５０（Ｂ）、図５１は、該蓄熱板支持部材１５３を、前記蓄熱板１５２の四つのコーナ部分１５９，１５９，１５９，１５９が集合する部位に介在させ、且つ、隣り合う蓄熱板１５２，１５２の短辺側の側面１７２，１７２相互及び長辺側の側面１７３，１７３相互を当接させることによって、前記蓄熱板１５２を水平に敷き並べた状態を示している。この状態で、前記台座片１６７の、前記柱状片１７０の周辺をなす前記支持面（前記上面部）１６９で、前記４枚の蓄熱板１５２のコーナ部分１５９，１５９，１５９，１５９が下方から支持されると共に、前記隅切り面１６１，１６１，１６１，１６１が該柱状片１７０の側面１７１に当接した状態にある。これによって、蓄熱板部１４９を構成する各蓄熱板１５２が所要に位置決めされて敷き並べられた状態となっている。詰まり、該柱状片１７０を定規にして各蓄熱板１５２が位置決めされている。そして図４９の右側部分には、前記蓄熱板支持部材１５３を介して、同様にして前記蓄熱板１５２を２段積みした状態が示されている。
【０１６５】
本実施例においては、前記蓄熱板支持部材１５３を、４枚の前記蓄熱板１５２の四つのコーナ部分１５９に介在させるため、今、前記エアコン室内機９の吹出口１０から前記蓄熱槽３内に、図５１に矢印で示す方向に空気が吹き出されたとすれば、前記正方形板状を呈する前記台座片１６７の、隣り合う二つの側面２０４，２０８が、同図に示すように、風に向って山形を呈する（前後方向Ｆ１に対して４５度傾斜した山形状面４０２を呈する）こととなる。これよって、前記横方向空気流路１５０を流れる空気が該山形状面４０２によって左右に分かれて流れるため、該横方向空気流路１５０を空気が流れる際の抵抗を極力減少させることができて好ましい。なお図５１においては、前記蓄熱板１５２の表面の前記凹部１５７を省略している。
【０１６６】
(28)図３７に係る積層蓄熱体３４７を構成する場合、前記間隔保持片１６８は、円板状や正方形板状に構成するのがよい。該間隔保持片１６８を円板状に構成するときは、図１８に基づいて説明したところと同様にして、前記横方向空気流路１５０を流れる空気は、該間隔保持片１６８の円形外面に案内されて左右に分かれて流れるため、該横方向空気流路を空気が流れる際の抵抗を極力減少させることができる。又、該間隔保持片１６８を正方形板状に構成するときは、図５１に基づいて説明したところと同様にして、前記横方向空気流路１５０を流れる空気は、該間隔保持片１６８の山形状面によって左右に分かれて流れるため、該横方向空気流路を空気が流れる際の抵抗を極力減少させることができる。
【０１６７】
(29)図５２（Ａ）、図５３（Ａ）は、前記有底箱体４９内に前記蓄熱体６を納設状態とするに際して用いられる端側の蓄熱板支持部材１４８を示すものであり、該端側の蓄熱板支持部材１５３は、図１２（Ｃ）や図５０（Ａ）に示すものを２分割した半割片として構成されている。図５２（Ｂ）、図５３（Ｂ）は、該端側の蓄熱板支持部材１４８を用いて構成された蓄熱板部１４９が前記有底箱体４９内に納設されている状態を示すものであり、前記囲壁部２の四つの内面１８７，１８９，１９２，１９３や、前記角筒状の逃がし筒部４２の四つの外面１９７，１９９，２０２，２０３に面する箇所では、前記半割り面１５４が向き合わせられている。これによって、前記蓄熱板部１４９の側端面１９０，１９１，１９５，１９６が、前記内面１８７，１８９，１９２，１９３や前記外面１９７，１９９，２０２，２０３に近接状態となっている。
【０１６８】
(30)図５４は、前記蓄熱板支持部材１５３のその他の態様を示すものであり、間隔保持用の例えば円板状を呈する台座片１６７の上面部の中央部位に、位置規制用の例えば円柱状の柱状片１７０を上方に向けて突設すると共に、該台座片１６７の下面部の中央部に、例えば円柱状を呈する固定突部１８４を下方に向けて突設した構成を有している。そして、該柱状片１７０と該固定突部１８４の突出長さは、共に、前記蓄熱板１５２の上下方向の厚さの１／２に等しいか或いはそれよりも小さく設定されている。本実施例においては、前記蓄熱板１５２の該厚さの１／２に設定されている。そして、前記台座片１６７と前記柱状片１７０と前記固定突部１８４の軸線は合致している。又本実施例においては、前記固定突部１８４の側面２４８が、前記四つのコーナ部分１５９，１５９，１５９，１５９の前記隅切り面１６１，１６１，１６１，１６１に当接する如くなされている。
【０１６９】
然して、かかる蓄熱板支持部材１５３を用いて前記蓄熱板部１４９を構成するに際しては、前記と同様にして、図５５、図５４（Ｃ）に示す如く、４枚の蓄熱板１５２，１５２，１５２，１５２の四つのコーナ部分１５９，１５９，１５９，１５９が集合する部位に該蓄熱板支持部材１５３を介在させる。これによって、１段目の蓄熱板部１４９が構成されるのであるが、図５４（Ｃ）に示すように、その下面１８８の下方に向けて前記固定突部１８４が突出状態となる。各固定突部１８４は、構成される蓄熱体６の下端下方に前記結露水排水路１７７を形成する。
【０１７０】
そして該１段目の蓄熱板部１４９の上面側には、図５４（Ｃ）、図５５に示すように、前記四つのコーナ部分１５９，１５９，１５９，１５９の集合する部位で、前記柱状片１７０の上端の上方に、前記蓄熱板１５２の高さ（上下方向の厚さ）の１／２程度の深さを有する固定凹部１９４が夫々形成されることになる。そこで、２段目の蓄熱板部１４９を構成する際に、前記蓄熱板支持部材１５３の前記固定突部１８４を該固定凹部１９４に嵌入する。これにより、前記固定突部１８４の側面２４８が、前記四つのコーナ部分１５９，１５９，１５９，１５９の前記隅切り面１６１，１６１，１６１，１６１に当接すると共に、前記台座片１６７の前記固定突部１８４の周辺をなす前記支持面（前記上面部）１６９が前記四つのコーナ部分１５９，１５９，１５９，１５９の上面１３８に当接して、該蓄熱板支持部材１５３の水平面内における位置が安定状態で固定されることとなる。この状態で、該蓄熱板支持部材１５３の有する前記柱状片１７０を前記と同様に定規として機能させ、前記台座片１６７の支持面１６９で前記四つのコーナ部分１５９，１５９，１５９，１５９を下方から支持する。これによって２段目の蓄熱板部１４９を構成できることとなる。これを繰り返すことによって前記蓄熱体６を構成できる。本実施例においては、蓄熱板支持部材１５３が固定突部１８４を具えるため、２段目以降の蓄熱板部１４９を形成するに際し、該蓄熱板支持部材１５３を下の段の蓄熱板部１４９に水平面内で固定状態にできることから、その形成作業を容易且つ能率的に行うことができる。
【０１７１】
図５６は、かかる構成を有する蓄熱板支持部材１５３の他の態様を示すものであり、前記台座片１６７が正方形板状を呈すると共に、前記柱状片１７０と前記固定突部１８４が、平面視で正方形状を呈する角柱状に構成されている。図５７は、かかる構成を有する蓄熱板支持部材１５３を用いて蓄熱板部１４９を構成した場合を示している。この場合も、図５４に基づいて説明したところと同様に、前記固定突部１８４の側面２４８が、前記四つのコーナ部分１５９の前記隅切り面１６１に当接する如くなされている。そして、前記台座片１６７と前記柱状片１７０と前記固定突部１８４の軸線は合致している。
【０１７２】
本実施例においては、前記柱状片１７０と前記固定突部１８４の突出長さを等しく設定しているが、該柱状片１７０と該固定突部１８４の突出長さの合計が前記蓄熱板１５２の上下方向の厚さに等しいかそれ以下であるならば、該柱状片と該固定突部の突出長さが異なってもよい。
【０１７３】
(31)図５８〜５９は、前記蓄熱板支持部材１５３のその他の態様を示すものである。図５８においては、円板状の台座片１６７の上面部の中央部に、平面視で正方形状を呈する角柱状の柱状片１７０が突設されてなり、図５９においては、正方形板状を呈する台座片１６７の上面部の中央部に、円柱状を呈する柱状片１７０が突設されてなる。そして、該台座片１６７の、該柱状片１７０の周辺に前記支持面（前記上面部）１６９が形成されている。
【０１７４】
前記蓄熱板支持部材１５３において、前記台座片１６７の形態は、４枚の蓄熱板の四つのコーナ部分が集合する部位に配設されて該四つのコーナ部分を前記支持面１６９で下方から支持できる限り任意に設定できる。又、前記柱状片１７０は、前記隅切り面１６１と当接し得る側面１７１を具えているものであれば、その側面形態は任意である。図６０には、その平面視形態の一例が示されており、図６０（Ａ）にあっては八角形状に形成されており、図６０（Ｂ）にあっては角丸の正方形状に形成されており、図６０（Ｃ）にあっては小判形に形成されている。
【０１７５】
そして、図５８〜６０においても、前記と同様にして固定突部１８４を突設できる。
【０１７６】
(32)前記蓄熱板部１４９の積層形態によっては、図１１に示されている上下段の蓄熱板支持部材１５３，１５３の軸線Ｌ７とＬ８とが位置ずれすることもある。
【０１７７】
(33)図６１（Ａ）、図６２（Ａ）は、水平板状を呈する前記蓄熱板部１４９を、前記横方向空気流路１５０を相互間に形成するように所要間隔を置いて積層する場合の他の態様を示すものであり、該蓄熱板部１４９は、前記蓄熱板１５２を前後方向及び左右方向で相互を当接させて形成されている。そして該蓄熱板部１４９を構成する夫々の蓄熱板１５２の上面１７６の例えば四隅に間隔保持片１６８，１６８，１６８，１６８を載置し、その上に上段の蓄熱板部１５２を載置することによって構成されている。この場合、図１８や図５１に基づいて説明したところと同様の理由により前記横方向空気流路１５０を空気が流れる際の抵抗を極力減少させるために、前記間隔保持片１６８を、図６１に示すように円板状に構成するのがよく、或いは図６２に示すように、平面視で正方形状の正方形板状を呈する如く構成するのがよい。なお前記蓄熱板１５２の中央部分を撓みにくくするために、例えば図６１（Ｂ）、図６２（Ｂ）に示すように、前記蓄熱板１５２の中央部分にも前記間隔保持片１６８を介在させるのがよい。この場合、蓄熱板１５２の上下の面の中央部分が対向状態で窪んでいる場合は、図３７（Ｂ）に示すと同様にして、該中央部分に介在させる間隔保持片１６８の上下端部分３７６，３７６を該窪み部３７５，３７５に嵌め入れるのがよい。
【０１７８】
(34)上下の蓄熱板部１４９，１４９間に前記間隔保持片１６８の複数個を介在させる場合、前記した円板状の間隔保持片と正方形板状の間隔保持片とを適宜組み合わせてもよい。
【０１７９】
(35)図６３は、前記吹出口１０から前記横方向空気流路１５０に吹き出された空気を該横方向空気流路１５０で、平面視で循環状態となるように方向付けするための方向規制ガイド面４０５を前記空気反射部１３に設けた場合を示すものである。該方向規制ガイド面４０５は、本実施例においては、該空気反射部１３の他にも２ヶ所設けられている。即ち、前記横方向空気流路１５０の後端４０３の左右側部分と、前端２１０の左側部分に設けられている。該方向規制ガイド面４０５は、例えば図６３（Ａ）に示す湾曲面４０５ａとして形成したり、図６３（Ｂ）に示す傾斜面４０５ｂ等として形成することができる。
【０１８０】
このように方向規制ガイド面４０５を設ける場合は、前記蓄熱槽３内における温風や冷風の循環をより効果的に行わせることが可能となり、伝熱効率の向上によって前記蓄熱体６の蓄熱をより効果的に行わせることができる。
【０１８１】
(36)図６４は、前記蓄熱槽３に設けた前記空気放出口１１からの空気放出の他の態様を示すものであり、前記床下空間４の底部２３に設置状態に配設された蓄熱槽３の前記囲壁部２に空気放出口１１を設けると共に、該空気放出口１１から放出された空気を、該蓄熱槽３の上部４０６と床部３０との間の床下流路４０７に誘導するための誘導路４０９を、該蓄熱槽３に連設した場合を示すものである。図６４（Ａ）においては、該誘導路４０９を該蓄熱槽３の後部４０４に連設しており、図６４（Ｂ）においては、該誘導路４０９を該蓄熱槽３の上部４０６に連設している。
【０１８２】
このように構成する場合は、該誘導路４０９の端部分４１０から放出される空気によって、床部３０を加温でき或いは冷却でき、これによって室内の暖房や冷房をより効果的に図り得る。なお、このようにして床下流路４０７に空気を流す場合、該床下流路４０７を流れた空気を前記蓄熱槽３内に戻すことがある他、前記エアコン室内機９の吸込口２１９に流入させることもある。
【０１８３】
(37)前記蓄熱槽３を前記床下空間４の底部２３上に設置することによって該蓄熱槽３を床下空間４に配設する場合、例えば図４５に示すように、前記囲壁部２を上方に延長して、その上端４１１を該床部３０の下面４１２に当接乃至近接状態とすることもある。
【０１８４】
このように構成する場合は、前記蓄熱槽３に納設されている蓄熱体６の放熱によって、床暖房を図ったり、或いは、床部の冷却を図ることができる。
【０１８５】
(38)前記蓄熱板支持部材１５３を構成する前記台座片１６７は、上下の蓄熱板１５２，１５２間に、前記横方向空気流路１５０の上下幅に等しい通気間隙３７２を構成できるものであれば、前記の他、円筒状や角筒状を呈するもの等、各種形態のものとして構成できる。
【０１８６】
(39)前記逃がし空間３６は、前記大引を支持する束を逃がすことができるものであれば、前記した形態に特定されない。又、一つの蓄熱槽３に複数（例えば２個）の逃がし空間３６が、大引配置に合わせて設けられることもある。
【０１８７】
(40)図６５は、前記天井裏空間（例えば二階の天井裏空間２２６）の空気の一部を屋外に排出するに際し、その空気の保有熱を、床下空間に取り入れられる外気の加温や冷却に有効利用するために、熱交換器４１３を用いた場合を示している。該熱交換器４１３内には、該天井裏空間２２６からの空気を屋外に向けて流す第１の熱交換流路４１５と、外気を屋外に向けて流す第２の熱交換流路４１６が設けられると共に、夫々の熱交換流路４１５，４１６には、図示しないファンが内蔵されている。そして、該第１、第２の熱交換流路４１５，４１６間での熱交換によって、前記天井裏空間２２６からの空気の保有熱で、床下空間４に導入される外気を加温又は冷却できるようになされている。図６５において符号４１７で示すものは、第１の熱交換流路４１５の流入口４１９と前記第１の縦ダクト２２７の下端部分４１８とを連結する連結管であり、又符号４２０で示すものは、該第１の熱交換流路４１５の吐出口４２１に連結され且つ開口端４２２が屋外に位置する連結管である。又符号４２３で示すものは、前記第２の熱交換流路４１６の流入口４２５に連結された外気取り入れ用の連結管であり、符号４２６で示すものは、前記第２の熱交換流路４１６の吐出口４２７に連結されてその端部４２９が床下空間４で開放する連結管である。なお、該連結管４２６の端部４２９を前記エアコン室内機９の前記吸込口２１９に連結してもよい。又、該連結管４２６を連結せずに、該第２の熱交換流路４１６の吐出口４２７を床下空間４に直接に開放状態としてもよい。前記連結管４２０の開口端４２２をエアコン室外機２２９の前記吸込口２３０に向き合わせるときは、該開口端４２２から排出される空気の保有熱を該エアコン室外機２２９でも回収できて好ましい。
【０１８８】
(41)前記蓄熱装置１の前記空気放出口１１から放出された空気を含む床下空間の空気を、建物の内部空間を通して上昇させる際、該空気を前記壁内通気路２６９，２７０には全く流入させず、前記空気流入口２８５，２９０と前記空気流出口２８７，２９２を通してのみ行うこともある。
【０１８９】
(42)本発明に係る蓄熱装置１は、例えばマンションの上下の階の間をなす中間空間（即ち、下の階から見れば天井裏の空間であり、上の階から見れば床下の空間）に配設されることもある。この場合、前記蓄熱槽３や前記エアコン室内機９は、該中間空間で吊下状態に設けるのがよい。
【０１９０】
(43)本発明に係る蓄熱装置１の配設場所は、これを建物に設ける場合、前記した居間の下側をなす区画空間部の他、ダイニングや寝室の下側をなす区画空間部等、暖房や冷房を必要とする各場所に設定できる。又、該蓄熱装置１が、これらの複数の区画空間部に設けられることもある。
【０１９１】
(44)本発明に係る蓄熱装置１が前記床下空間４に応用された場合、前記蓄熱槽３は床下空間に配設されても、前記エアコン室内機９は、床上等の床下空間以外の場所に配設されることもある。
【０１９２】
(45)前記蓄熱槽３の平面視での形態は、前記したような矩形状を呈するものは限られない。
【０１９３】
(46)図６６は、前記空気放出口１１を、布基礎１６の所要部分に設けた通気開口４３１に向けて空気を放出するように設けた場合を示している。この場合は、該通気開口４３１を通して、前記蓄熱槽３が配設されている区画空間部に隣り合う区画空間部４ｅに温風又は冷風を流入させることができる。
【０１９４】
(47)前記土台７６に設ける欠切状部２６０は、例えば図６７に示すように、該土台７６の上面４３２の一方の側部分に板状片４３３を載置し且つ該板状片４３３を該上面４３２に接着や釘着等によって固定することにより、該上面４３２の他方の側部分側で形成することもできる。
【０１９５】
(48)本発明に係る蓄熱装置１を建物の床下空間に配設する場合、床暖房を主目的とすることもある。又、該蓄熱装置１は、居室等の床上に設置されることがある他、ビニールハウス等の温室に設置されることもある。
【０１９６】
(49)本発明に係る建物は、二階建ての建物の他、一階建ての建物や３階以上の建物を含む。又該建物は、住宅の他、学校や工場等も含む。
【符号の説明】
【０１９７】
１  蓄熱装置
２  囲壁部
３  蓄熱槽
４  床下空間
６  蓄熱体
７  前部
９  エアコン室内機
１０  吹出口
１１  空気放出口
１２  後部
１３  空気反射部
１５  空気流路
１６  布基礎
１７  大引
１９  束
２７  横架材
３０  床部
４２  逃がし筒部
４９  有底箱体
７６  土台
７７  支持棒材
１４６  空気放出具
１４９  蓄熱板部
１５０  横方向空気流路
１５３  蓄熱板支持部材
１５９  コーナ部分
１６１  隅切り面
１６２  注入用凹部
１６７  台座片
１６８  間隔保持片
１７０  柱状片
２０９  前側の連通空間
２１１  混合空間
２１２  縦方向空気流路
２１９  吸込口
２２０  建物の空調設備
２２２  布基礎の途切れた部分
２２４  建物
２２５  内部空間
２２６  二階の天井裏空間
２２７  第１の縦ダクト
２２９  エアコン室外機
２３１  第２の縦ダクト
２３２  外気導入孔
２５９  一階の壁体
２６０  欠切状部
２６２  一階の天井裏空間
２６６  二階の壁体
２６９  壁内通気路
２７３  空気流入開口
２７７  空気流入開口
２７９  空気排出開口
２８０  空気排出開口
２８５  空気流入口
２８７  空気流出口
２９０  空気流入口
２９２  空気流出口
３４７  積層蓄熱体
３４９  間隔保持部材
３５５  間隔保持片
３６３  結束材
３７２  通気間隙
３７５  窪み部
４０５  方向規制ガイド面
４３１  通気開口
【図１】
2014228207.tif 000003
【図２】
2014228207.tif 000004
【図３】
2014228207.tif 000005
【図４】
2014228207.tif 000006
【図５】
2014228207.tif 000007
【図６】
2014228207.tif 000008
【図７】
2014228207.tif 000009
【図８】
2014228207.tif 000010
【図９】
2014228207.tif 000011
【図１０】
2014228207.tif 000012
【図１１】
2014228207.tif 000013
【図１２】
2014228207.tif 000014
【図１３】
2014228207.tif 000015
【図１４】
2014228207.tif 000016
【図１５】
2014228207.tif 000017
【図１６】
2014228207.tif 000018
【図１７】
2014228207.tif 000019
【図１８】
2014228207.tif 000020
【図１９】
2014228207.tif 000021
【図２０】
2014228207.tif 000022
【図２１】
2014228207.tif 000023
【図２２】
2014228207.tif 000024
【図２３】
2014228207.tif 000025
【図２４】
2014228207.tif 000026
【図２５】
2014228207.tif 000027
【図２６】
2014228207.tif 000028
【図２７】
2014228207.tif 000029
【図２８】
2014228207.tif 000030
【図２９】
2014228207.tif 000031
【図３０】
2014228207.tif 000032
【図３１】
2014228207.tif 000033
【図３２】
2014228207.tif 000034
【図３３】
2014228207.tif 000035
【図３４】
2014228207.tif 000036
【図３５】
2014228207.tif 000037
【図３６】
2014228207.tif 000038
【図３７】
2014228207.tif 000039
【図３８】
2014228207.tif 000040
【図３９】
2014228207.tif 000041
【図４０】
2014228207.tif 000042
【図４１】
2014228207.tif 000043
【図４２】
2014228207.tif 000044
【図４３】
2014228207.tif 000045
【図４４】
2014228207.tif 000046
【図４５】
2014228207.tif 000047
【図４６】
2014228207.tif 000048
【図４７】
2014228207.tif 000049
【図４８】
2014228207.tif 000050
【図４９】
2014228207.tif 000051
【図５０】
2014228207.tif 000052
【図５１】
2014228207.tif 000053
【図５２】
2014228207.tif 000054
【図５３】
2014228207.tif 000055
【図５４】
2014228207.tif 000056
【図５５】
2014228207.tif 000057
【図５６】
2014228207.tif 000058
【図５７】
2014228207.tif 000059
【図５８】
2014228207.tif 000060
【図５９】
2014228207.tif 000061
【図６０】
2014228207.tif 000062
【図６１】
2014228207.tif 000063
【図６２】
2014228207.tif 000064
【図６３】
2014228207.tif 000065
【図６４】
2014228207.tif 000066
【図６５】
2014228207.tif 000067
【図６６】
2014228207.tif 000068
【図６７】
2014228207.tif 000069
【図６８】
2014228207.tif 000070
【図６９】
2014228207.tif 000071